(57)【要約】【課題】ユーザに煩わしさを感じさせずに、充電装置への携帯端末の置き忘れを防止する。【解決手段】充電パッド４２５は、非接触充電を行う充電部５５２、及び、充電可能な範囲内の携帯端末４１４の有無を検出可能な機器検出部５５３を備える。ECU４２１は、携帯機４１３と無線通信が可能な無線通信部５０２、無線通信部５０２の制御を行う通信制御部５１１、携帯機４１３の位置検出を行う位置検出部５１３、及び、携帯機４１３からの信号に基づいて車両のドアの施錠及び開錠の制御を行う車両制御部５１４を備える。通信制御部５１１は、携帯端末４１４が充電可能な範囲内に検出されている場合に、携帯機４１３が空間の内部を含む所定の範囲内に存在しないことが検出されたとき、無線通信部５０２から携帯機４１３に携帯端末４１４の置き忘れを示す信号を送信するように制御する。本発明は、例えば、車両の制御を行うシステムに適用できる。【選択図】図１１
2014174739.tif 000002
【特許請求の範囲】
【請求項１】
出入口を備える所定の空間内に設けられる充電装置と、
前記出入口の施錠又は開錠の少なくとも一方の制御を行う制御装置と
を備える情報処理システムにおいて、
前記充電装置は、
充電可能な範囲にある携帯端末の非接触充電を行う充電部を
備え、
前記制御装置は、
前記出入口の施錠又は開錠の少なくとも一方に用いる携帯機と無線通信が可能な無線通信部と、
前記無線通信部の制御を行う通信制御部と、
前記携帯機の位置検出を行う位置検出部と、
前記無線通信部で受信した前記携帯機からの信号に基づいて前記出入口の施錠又は開錠の少なくとも一方の制御を行う出入口制御部と
を備え、
前記充電装置又は前記制御装置の少なくとも一方が、
前記充電可能な範囲内の前記携帯端末の有無を検出可能な機器検出部を
備え、
前記通信制御部は、前記機器検出部により前記充電可能な範囲内に前記携帯端末が検出されている場合に、前記位置検出部により前記携帯機が前記空間の内部を含む所定の範囲内に存在しないことが検出されたとき、前記無線通信部から前記携帯機に所定の信号を送信するように制御する
情報処理システム。
【請求項２】
前記通信制御部は、前記所定の信号として、前記携帯端末を置き忘れたことを前記携帯機の通知部に通知させるための信号を前記携帯機に送信するように制御する
請求項１に記載の情報処理システム。
【請求項３】
前記充電装置は、
前記携帯端末と近接無線通信が可能な近接無線通信部を
さらに備え、
前記機器検出部は、前記近接無線通信部と前記携帯端末との間の通信状態により前記充電可能な範囲内の前記携帯端末の有無を検出する
請求項２に記載の情報処理システム。
【請求項４】
前記通信制御部は、前記近接無線通信部により受信した指令に基づいて前記所定の信号の送信機能を停止する
請求項３に記載の情報処理システム。
【請求項５】
前記位置検出部は、定期的に、又は、前記携帯機が前記空間の外に出る又は出た可能性があるイベントが発生したとき、前記携帯機の位置検出を行う
請求項１乃至４のいずれかに記載の情報処理システム。
【請求項６】
前記位置検出部は、前記携帯機と前記制御装置との間の無線通信の状態に基づいて、前記携帯機の位置検出を行う
請求項１乃至５のいずれかに記載の情報処理システム。
【請求項７】
前記通信制御部は、前記携帯機からの指令に基づいて前記所定の信号の送信機能を停止する
請求項１乃至６のいずれかに記載の情報処理システム。
【請求項８】
前記空間は、車両の室内であり、
前記出入口は、前記車両のドアである
請求項１乃至７のいずれかに記載の情報処理システム。
【請求項９】
出入口を備える所定の空間内において携帯端末の非接触充電を行う充電装置、又は、無線通信を行う携帯機からの信号に基づいて前記出入口の施錠又は開錠の少なくとも一方の制御を行う制御装置の少なくとも一方が、充電可能な範囲内の前記携帯端末の有無の検出を行い、
前記制御装置が、前記携帯機の位置検出を行い、
前記制御装置が、前記充電可能な範囲内に前記携帯端末が存在する場合に、前記携帯機が前記空間の内部を含む所定の範囲内に存在しないことを検出したとき、前記携帯機に前記携帯端末の置き忘れを示す信号を送信するように制御する
ステップを含む情報処理方法。
【請求項１０】
車両内に設けられる充電装置と、
前記車両のドアの施錠及び開錠の制御を行う車両制御装置と
を備える車載システムにおいて、
前記充電装置は、
充電可能な範囲にある携帯端末の非接触充電を行う充電部を
備え、
前記車両制御装置は、
前記ドアの施錠及び開錠に用いる携帯機と無線通信が可能な無線通信部と、
前記無線通信部の制御を行う通信制御部と、
前記携帯機の位置検出を行う位置検出部と、
前記無線通信部で受信した前記携帯機からの信号に基づいて前記ドアの施錠及び開錠の制御を行う車両制御部と
を備え、
前記充電装置又は前記車両制御装置の少なくとも一方が、
前記充電可能な範囲内の前記携帯端末の有無を検出可能な機器検出部を
備え、
前記通信制御部は、前記機器検出部により前記充電可能な範囲内に前記携帯端末が検出されている場合に、前記位置検出部により前記携帯機が前記車両の室内を含む所定の範囲内に存在しないことが検出されたとき、前記無線通信部から前記携帯機に前記携帯端末の置き忘れを示す信号を送信するように制御する
車載システム。
【請求項１１】
所定の空間に備えられた出入口の施錠又は開錠の少なくとも一方の制御を行う制御装置において、
前記出入口の施錠又は開錠の少なくとも一方に用いる携帯機と無線通信が可能な無線通信部と、
前記無線通信部の制御を行う通信制御部と、
前記携帯機の位置検出を行う位置検出部と、
前記携帯機からの信号に基づいて前記出入口の施錠又は開錠の少なくとも一方の制御を行う出入口制御部と
を備え、
前記通信制御部は、前記空間内において携帯端末の非接触充電を行う充電装置の充電可能な範囲内に前記携帯端末が検出されている場合に、前記位置検出部により前記携帯機が前記空間の内部を含む所定の範囲内に存在しないことが検出されたとき、前記無線通信部から前記携帯機に前記携帯端末の置き忘れを示す信号を送信するように制御する
制御装置。
【請求項１２】
車両のドアの施錠及び開錠の制御を行う車両制御装置において、
前記ドアの施錠及び開錠に用いる携帯機と無線通信が可能な無線通信部と、
前記無線通信部の制御を行う通信制御部と、
前記携帯機の位置検出を行う位置検出部と、
前記携帯機からの信号に基づいて前記ドアの施錠及び開錠の制御を行う車両制御部と
を備え、
前記通信制御部は、前記車両内において携帯端末の非接触充電を行う充電装置の充電可能な範囲内に前記携帯端末が検出されている場合に、前記位置検出部により前記携帯機が前記車両の室内を含む所定の範囲内に存在しないことが検出されたとき、前記無線通信部から前記携帯機に前記携帯端末の置き忘れを示す信号を送信するように制御する
車両制御装置。
【請求項１３】
出入口を備える所定の空間内に設けられる充電装置と、
前記出入口の施錠又は開錠の少なくとも一方に用いる携帯機と、
前記携帯機と無線通信が可能な携帯端末と
を備える情報処理システムにおいて、
前記携帯端末は、
前記携帯機との無線通信を行う第１の無線通信部と、
前記第１の無線通信部の制御を行う第１の通信制御部と、
前記充電装置の充電可能な範囲内に前記携帯端末が存在するか否かを検出可能な状態検出部と、
前記携帯機との間の無線通信の状態に基づいて、前記携帯機の位置検出を行う第１の位置検出部と
を備え、
前記充電装置は、
前記充電可能な範囲にある前記携帯端末の非接触充電を行う充電部を
備え、
前記第１の通信制御部は、前記状態検出部により前記充電可能な範囲内に前記携帯端末が存在することが検出されている場合に、前記第１の位置検出部により前記携帯機が前記空間の内部を含む所定の第１の範囲内に存在しないことが検出されたとき、前記第１の無線通信部から前記携帯機に前記携帯端末の置き忘れを示す第１の信号を送信するように制御する
情報処理システム。
【請求項１４】
前記携帯端末は、
前記充電装置と近接無線通信が可能な第１の近接無線通信部を
さらに備え、
前記充電装置は、
前記携帯端末と近接無線通信が可能な第２の近接無線通信部を
さらに備え、
前記状態検出部は、前記第１の近接無線通信部と前記第２の近接無線通信部との間の通信状態により前記充電可能な範囲内に前記携帯端末が存在するか否かを検出する
請求項１３に記載の情報処理システム。
【請求項１５】
前記情報処理システムは、
前記出入口の施錠又は開錠の少なくとも一方の制御を行う制御装置を
さらに備え、
前記制御装置は、
前記携帯機との無線通信を行う第２の無線通信部と、
前記第２の無線通信部の制御を行う第２の通信制御部と、
前記携帯機の位置検出を行う第２の位置検出部と
を備え、
前記第２の通信制御部は、前記充電装置と通信が可能であり、前記第１の近接無線通信部と前記第２の近接無線通信部との間の通信状態により前記充電可能な範囲内に前記携帯端末が検出されている場合に、前記第２の位置検出部により前記携帯機が前記空間の内部を含む所定の第２の範囲内に存在しないことが検出されたとき、前記第２の無線通信部から前記携帯機に前記携帯端末の置き忘れを示す第２の信号を送信するように制御する
請求項１４に記載の情報処理システム。
【請求項１６】
前記携帯機は、
前記第１の信号を受信したとき、所定の方法によりユーザへの通知を行う通知部を
さらに備える請求項１３乃至１５のいずれかに記載の情報処理システム。
【請求項１７】
前記空間は、車両の室内であり、
前記出入口は、前記車両のドアである
請求項１３乃至１６のいずれかに記載の情報処理システム。
【請求項１８】
車両に設けられる充電装置と、
前記車両のドアの施錠及び開錠の制御を行う車両制御装置と、
前記ドアの施錠及び開錠に用いる携帯機と、
前記携帯機と無線通信が可能な携帯端末と
を備える車両制御システムにおいて、
前記携帯端末は、
前記携帯機と無線通信が可能な第１の無線通信部と、
前記第１の無線通信部の制御を行う通信制御部と、
前記充電装置の充電可能な範囲内に前記携帯端末が存在するか否かを検出可能な状態検出部と、
前記携帯機との間の無線通信の状態に基づいて、前記携帯機の位置検出を行う位置検出部と
を備え、
前記携帯機は、
前記携帯端末と無線通信が可能な第２の無線通信部と、
前記第２の無線通信部と異なる方式により前記車両制御装置と無線通信が可能な第３の無線通信部と
を備え、
前記充電装置は、
前記充電可能な範囲にある前記携帯端末への非接触充電を行う充電部を
備え、
前記車両制御装置は、
前記携帯機と無線通信が可能な第４の無線通信部と、
前記携帯機からの信号に基づいて前記ドアの施錠及び開錠の制御を行う車両制御部と
を備え、
前記通信制御部は、前記状態検出部により前記充電可能な範囲内に前記携帯端末が存在することが検出されている場合に、前記位置検出部により前記携帯機が前記車両の室内を含む所定の範囲内に存在しないことが検出されたとき、前記第１の無線通信部から前記携帯機に前記携帯端末の置き忘れを示す信号を送信するように制御する
車両制御システム。
【請求項１９】
所定の空間に備えられた出入口の施錠又は開錠の少なくとも一方に用いる携帯機と無線通信が可能な携帯端末において、
前記携帯機と無線通信が可能な無線通信部と、
前記無線通信部の制御を行う通信制御部と、
前記空間内において前記携帯端末の非接触充電を行う充電装置の充電可能な範囲内に前記携帯端末が存在するか否かを検出可能な状態検出部と、
前記携帯機との間の無線通信の状態に基づいて、前記携帯機の位置検出を行う位置検出部と
を備え、
前記通信制御部は、前記状態検出部により前記充電可能な範囲内に前記携帯端末が存在することが検出されている場合に、前記位置検出部により前記携帯機が前記空間の内部を含む所定の範囲内に存在しないことが検出されたとき、前記無線通信部から前記携帯機に前記携帯端末の置き忘れを示す信号を送信するように制御する
携帯端末。
【請求項２０】
所定の空間に備えられている出入口の施錠又は開錠の少なくとも一方に用いる携帯機と無線通信が可能な携帯端末が、
前記空間内において前記携帯端末の非接触充電を行う充電装置の充電可能な範囲内に前記携帯端末が存在するか否かを検出し、
前記充電可能な範囲内に前記携帯端末が存在する場合に、前記携帯機が前記空間の内部を含む所定の範囲内に存在しないことを検出したとき、前記携帯機に前記携帯端末の置き忘れを示す信号を送信するように制御する
ステップを含む情報処理方法。
【請求項２１】
所定の空間に備えられている出入口の施錠又は開錠の少なくとも一方に用いる携帯機と無線通信が可能な携帯端末のコンピュータに、
前記空間内において前記携帯端末の非接触充電を行う充電装置の充電可能な範囲内に前記携帯端末が存在するか否かを検出し、
前記充電可能な範囲内に前記携帯端末が存在する場合に、前記携帯機が前記空間の内部を含む所定の範囲内に存在しないことを検出したとき、前記携帯機に前記携帯端末の置き忘れを示す信号を送信するように制御する
ステップを含む処理を実行させるためのプログラム。
【発明の詳細な説明】
【技術分野】
【０００１】
本発明は、情報処理システム、情報処理方法、車載システム、制御装置、車両制御装置、車両制御システム、携帯端末、及び、プログラムに関し、特に、充電装置への携帯端末の置き忘れを防止するようにした情報処理システム、情報処理方法、車載システム、制御装置、車両制御装置、車両制御システム、携帯端末、及び、プログラムに関する。
【背景技術】
【０００２】
従来、車内に非接触式の充電装置を設け、車内において携帯電話機やスマートフォン等の携帯端末を非接触で充電することが提案されている（例えば、特許文献１参照）。また、特許文献１では、携帯端末を車内の充電装置に置き忘れないように、携帯端末を充電装置に設置したままの状態で車両のドアが開いた場合、車両のブザー、LED、ランプ等で注意喚起の警報を行うことが提案されている。
【先行技術文献】
【特許文献】
【０００３】
【特許文献１】特開２００９−２９６７８０号公報
【発明の概要】
【発明が解決しようとする課題】
【０００４】
特許文献１に記載の発明では、ユーザが車両の外に出て、車両から離れてしまうと、ユーザに警報が届かなくなる。従って、車両から降りるときに確実にユーザに警報が伝わるようにするには、警報音を大きくする等なるべく目立つように警報を行う必要がある。一方、充電装置に携帯端末が設置されている場合、ドアが開く度に警報が行われるので、ごく短い時間だけ車両を離れる場合など携帯端末を置いたままでよい場合に、ユーザに煩わしさを感じさせてしまう。また、車両の周囲の人に充電装置が設置されたままであることを知られることになり、携帯端末の盗難につながる危険性もある。
【０００５】
本発明は、ユーザに煩わしさを感じさせずに、充電装置への携帯端末の置き忘れを防止できるようにするものである。
【課題を解決するための手段】
【０００６】
本発明の第１の側面の情報処理システムは、出入口を備える所定の空間内に設けられる充電装置と、出入口の施錠又は開錠の少なくとも一方の制御を行う制御装置とを備える情報処理システムにおいて、充電装置は、充電可能な範囲にある携帯端末の非接触充電を行う充電部を備え、制御装置は、出入口の施錠又は開錠の少なくとも一方に用いる携帯機と無線通信が可能な無線通信部と、無線通信部の制御を行う通信制御部と、携帯機の位置検出を行う位置検出部と、無線通信部で受信した携帯機からの信号に基づいて出入口の施錠又は開錠の少なくとも一方の制御を行う出入口制御部とを備え、充電装置又は制御装置の少なくとも一方が、充電可能な範囲内の携帯端末の有無を検出可能な機器検出部を備え、通信制御部は、機器検出部により充電可能な範囲内に携帯端末が検出されている場合に、位置検出部により携帯機が空間の内部を含む所定の範囲内に存在しないことが検出されたとき、無線通信部から携帯機に所定の信号を送信するように制御する。
【０００７】
本発明の第１の側面においては、充電可能な範囲内に携帯端末が検出されている場合に、携帯機が空間の内部を含む所定の範囲内に存在しないことが検出されたとき、携帯機に所定の信号が送信される。
【０００８】
従って、ユーザに煩わしさを感じさせずに、充電装置への携帯端末の置き忘れを防止することができる。
【０００９】
この充電装置は、例えば、非接触式の充電器により構成される。この制御装置は、例えば、マイクロコンピュータ、ECU等により構成される。この充電部は、例えば、電力源を備える電力供給装置、又は、外部からの電力の供給を制御する制御装置により構成される。この機器検出部は、例えば、CPU等のプロセッサ、又は、各種のセンサ等により構成される。この無線通信部は、例えば、LF帯や、UHF帯の315MHz帯又は900MHz帯の無線通信を行う通信機器により構成される。この通信制御部、位置検出部、出入口制御部は、例えば、CPU等のプロセッサにより構成される。この携帯機は、例えば、小型の無線通信機器、ICカード、ICタグ、電子キー、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。
【００１０】
この通信制御部には、所定の信号として、携帯端末を置き忘れたことを携帯機の通知部に通知させるための信号を携帯機に送信するように制御させることができる。
【００１１】
これにより、携帯端末の置き忘れを確実に通知することができる。
【００１２】
この充電装置には、携帯端末と近接無線通信が可能な近接無線通信部をさらに設け、この機器検出部には、近接無線通信部と携帯端末との間の通信状態により充電可能な範囲内の携帯端末の有無を検出させることができる。
【００１３】
これにより、携帯端末の置き忘れを確実に検出することができる。
【００１４】
この近接無線通信部は、例えば、NFC等の近接無線通信を行う通信機器により構成される。
【００１５】
この通信制御部には、近接無線通信部により受信した指令に基づいて所定の信号の送信機能を停止させることができる。
【００１６】
これにより、ユーザに不必要な通知がなされることを防止することができる。
【００１７】
この位置検出部には、定期的に、又は、携帯機が空間の外に出る又は出た可能性があるイベントが発生したとき、携帯機の位置検出を行わせることができる。
【００１８】
これにより、適切なタイミングで携帯機の位置を検出することができ、その結果、携帯端末の置き忘れを確実に検出することができる。
【００１９】
この位置検出部には、携帯機と制御装置との間の無線通信の状態に基づいて、携帯機の位置検出を行わせることができる。
【００２０】
これにより、携帯機の位置を正確に検出することができ、その結果、携帯端末の置き忘れを確実に検出することができる。
【００２１】
この通信制御部には、携帯機からの指令に基づいて所定の信号の送信機能を停止させることができる。
【００２２】
これにより、ユーザに不必要な通知がなされることを防止することができる。
【００２３】
この空間を、車両の室内とし、この出入口を、車両のドアとすることができる。
【００２４】
これにより、車内の充電装置への携帯端末の置き忘れを防止することができる。
【００２５】
本発明の第２の側面の情報処理方法は、出入口を備える所定の空間内において携帯端末の非接触充電を行う充電装置、又は、無線通信を行う携帯機からの信号に基づいて出入口の施錠又は開錠の少なくとも一方の制御を行う制御装置の少なくとも一方が、充電可能な範囲内の携帯端末の有無の検出を行い、制御装置が、携帯機の位置検出を行い、制御装置が、充電可能な範囲内に携帯端末が存在する場合に、携帯機が空間の内部を含む所定の範囲内に存在しないことを検出したとき、携帯機に携帯端末の置き忘れを示す信号を送信するように制御する。
【００２６】
本発明の第２の側面においては、充電可能な範囲内の携帯端末の有無の検出が行われ、携帯機の位置検出が行われ、充電可能な範囲内に携帯端末が存在する場合に、携帯機が空間の内部を含む所定の範囲内に存在しないことが検出されたとき、携帯機に携帯端末の置き忘れを示す信号が送信される。
【００２７】
従って、ユーザに煩わしさを感じさせずに、充電装置への携帯端末の置き忘れを防止することができる。
【００２８】
この充電装置は、例えば、非接触式の充電器により構成される。この制御装置は、例えば、マイクロコンピュータ、ECU等により構成される。この携帯機は、例えば、小型の無線通信機器、ICカード、ICタグ、電子キー、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。
【００２９】
本発明の第３の側面の車載システムは、車両内に設けられる充電装置と、車両のドアの施錠及び開錠の制御を行う車両制御装置とを備える車載システムにおいて、充電装置は、充電可能な範囲にある携帯端末の非接触充電を行う充電部を備え、車両制御装置は、ドアの施錠及び開錠に用いる携帯機と無線通信が可能な無線通信部と、無線通信部の制御を行う通信制御部と、携帯機の位置検出を行う位置検出部と、無線通信部で受信した携帯機からの信号に基づいてドアの施錠及び開錠の制御を行う車両制御部とを備え、充電装置又は車両制御装置の少なくとも一方が、充電可能な範囲内の携帯端末の有無を検出可能な機器検出部を備え、通信制御部は、機器検出部により充電可能な範囲内に携帯端末が検出されている場合に、位置検出部により携帯機が車両の室内を含む所定の範囲内に存在しないことが検出されたとき、無線通信部から携帯機に携帯端末の置き忘れを示す信号を送信するように制御する。
【００３０】
本発明の第３の側面においては、充電可能な範囲内に携帯端末が検出されている場合に、携帯機が車両の室内を含む所定の範囲内に存在しないことが検出されたとき、携帯機に携帯端末の置き忘れを示す信号が送信される。
【００３１】
従って、ユーザに煩わしさを感じさせずに、車内の充電装置への携帯端末の置き忘れを防止することができる。
【００３２】
この充電装置は、例えば、非接触式の充電器により構成される。この車両制御装置は、例えば、ECUにより構成される。この充電部は、例えば、電力源を備える電力供給装置、又は、外部からの電力の供給を制御する制御装置により構成される。この機器検出部は、例えば、CPU等のプロセッサ、又は、各種のセンサ等により構成される。この無線通信部は、例えば、LF帯や、UHF帯の315MHz帯又は900MHz帯の無線通信を行う通信機器により構成される。この通信制御部、位置検出部、車両制御部は、例えば、CPU等のプロセッサにより構成される。この携帯機は、例えば、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。
【００３３】
本発明の第４の側面の制御装置は、所定の空間に備えられた出入口の施錠又は開錠の少なくとも一方の制御を行う制御装置において、出入口の施錠又は開錠の少なくとも一方に用いる携帯機と無線通信が可能な無線通信部と、無線通信部の制御を行う通信制御部と、携帯機の位置検出を行う位置検出部と、携帯機からの信号に基づいて出入口の施錠又は開錠の少なくとも一方の制御を行う出入口制御部とを備え、通信制御部は、空間内において携帯端末の非接触充電を行う充電装置の充電可能な範囲内に携帯端末が検出されている場合に、位置検出部により携帯機が空間の内部を含む所定の範囲内に存在しないことが検出されたとき、無線通信部から携帯機に携帯端末の置き忘れを示す信号を送信するように制御する。
【００３４】
本発明の第４の側面においては、空間内において携帯端末の非接触充電を行う充電装置の充電可能な範囲内に携帯端末が検出されている場合に、携帯機が空間の内部を含む所定の範囲内に存在しないことが検出されたとき、携帯機に携帯端末の置き忘れを示す信号が送信される。
【００３５】
従って、ユーザに煩わしさを感じさせずに、充電装置への携帯端末の置き忘れを防止することができる。
【００３６】
この無線通信部は、例えば、LF帯や、UHF帯の315MHz帯又は900MHz帯の無線通信を行う通信機器により構成される。この通信制御部、位置検出部、車両制御部は、例えば、CPU等のプロセッサにより構成される。この充電装置は、例えば、非接触式の充電器により構成される。この携帯機は、例えば、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。
【００３７】
本発明の第５の側面の車両制御装置は、車両のドアの施錠及び開錠の制御を行う車両制御装置において、ドアの施錠及び開錠に用いる携帯機と無線通信が可能な無線通信部と、無線通信部の制御を行う通信制御部と、携帯機の位置検出を行う位置検出部と、携帯機からの信号に基づいてドアの施錠及び開錠の制御を行う車両制御部とを備え、通信制御部は、車両内において携帯端末の非接触充電を行う充電装置の充電可能な範囲内に携帯端末が検出されている場合に、位置検出部により携帯機が車両の室内を含む所定の範囲内に存在しないことが検出されたとき、無線通信部から携帯機に携帯端末の置き忘れを示す信号を送信するように制御する。
【００３８】
本発明の第５の側面においては、車両内において携帯端末の非接触充電を行う充電装置の充電可能な範囲内に携帯端末が検出されている場合に、携帯機が車両の室内を含む所定の範囲内に存在しないことが検出されたとき、携帯機に携帯端末の置き忘れを示す信号が送信される。
【００３９】
従って、ユーザに煩わしさを感じさせずに、車内の充電装置への携帯端末の置き忘れを防止することができる。
【００４０】
この無線通信部は、例えば、LF帯や、UHF帯の315MHz帯又は900MHz帯の無線通信を行う通信機器により構成される。この通信制御部、位置検出部、車両制御部は、例えば、CPU等のプロセッサにより構成される。この充電装置は、例えば、非接触式の充電器により構成される。この携帯機は、例えば、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。
【００４１】
本発明の第６の側面の情報処理システムは、出入口を備える所定の空間内に設けられる充電装置と、出入口の施錠又は開錠の少なくとも一方に用いる携帯機と、携帯機と無線通信が可能な携帯端末とを備える情報処理システムにおいて、携帯端末は、携帯機との無線通信を行う第１の無線通信部と、第１の無線通信部の制御を行う第１の通信制御部と、充電装置の充電可能な範囲内に携帯端末が存在するか否かを検出可能な状態検出部と、携帯機との間の無線通信の状態に基づいて、携帯機の位置検出を行う第１の位置検出部とを備え、充電装置は、充電可能な範囲にある携帯端末の非接触充電を行う充電部を備え、第１の通信制御部は、状態検出部により充電可能な範囲内に携帯端末が存在することが検出されている場合に、第１の位置検出部により携帯機が空間の内部を含む所定の第１の範囲内に存在しないことが検出されたとき、第１の無線通信部から携帯機に携帯端末の置き忘れを示す第１の信号を送信するように制御する。
【００４２】
本発明の第６の側面においては、充電可能な範囲内に携帯端末が存在することが検出されている場合に、携帯機が空間の内部を含む所定の第１の範囲内に存在しないことが検出されたとき、携帯機に携帯端末の置き忘れを示す第１の信号が送信される。
【００４３】
従って、ユーザに煩わしさを感じさせずに、車内の充電装置への携帯端末の置き忘れを防止することができる。
【００４４】
この充電装置は、例えば、非接触式の充電器により構成される。この携帯機は、例えば、小型の無線通信機器、ICカード、ICタグ、電子キー、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。この第１の無線通信部は、例えば、BLE等の近距離無線通信を行う通信機器により構成される。この第１の通信制御部、第１の位置検出部は、例えば、CPU等のプロセッサにより構成される。この状態検出部は、例えば、CPU等のプロセッサ、又は、各種のセンサ等により構成される。この充電部は、例えば、電力源を備える電力供給装置、又は、外部からの電力の供給を制御する制御装置により構成される。
【００４５】
この携帯端末には、充電装置と近接無線通信が可能な第１の近接無線通信部をさらに設け、この充電装置には、携帯端末と近接無線通信が可能な第２の近接無線通信部をさらに設け、この状態検出部には、第１の近接無線通信部と第２の近接無線通信部との間の通信状態により充電可能な範囲内に携帯端末が存在するか否かを検出させることができる。
【００４６】
これにより、携帯端末の置き忘れを確実に検出することができる。
【００４７】
この第１の近接無線通信部、第２の近接無線通信部は、例えば、NFC等の近接無線通信を行う通信機器により構成される。
【００４８】
この情報処理システムには、出入口の施錠又は開錠の少なくとも一方の制御を行う制御装置をさらに設け、この制御装置には、携帯機との無線通信を行う第２の無線通信部と、第２の無線通信部の制御を行う第２の通信制御部と、携帯機の位置検出を行う第２の位置検出部とを設け、この第２の通信制御部には、充電装置と通信が可能であり、第１の近接無線通信部と第２の近接無線通信部との間の通信状態により充電可能な範囲内に携帯端末が検出されている場合に、第２の位置検出部により携帯機が空間の内部を含む所定の第２の範囲内に存在しないことが検出されたとき、第２の無線通信部から携帯機に携帯端末の置き忘れを示す第２の信号を送信するように制御させることができる。
【００４９】
これにより、より確実に携帯端末の置き忘れを検出し、ユーザに通知することができる。
【００５０】
この制御装置は、例えば、マイクロコンピュータ、ECU等により構成される。この第２の無線通信部は、例えば、LF帯や、UHF帯の315MHz帯又は900MHz帯の無線通信を行う通信機器により構成される。この第２の通信制御部、第２の位置検出部は、例えば、CPU等のプロセッサにより構成される。
【００５１】
この携帯機には、第１の信号を受信したとき、所定の方法によりユーザへの通知を行う通知部をさらに設けることができる。
【００５２】
これにより、携帯端末の置き忘れを確実にユーザに通知することができる。
【００５３】
この通知部は、例えば、表示装置、ブザー等の音声出力装置、LED等のランプ、又は、バイブレータ等により構成される。
【００５４】
この空間を、車両の室内とし、この出入口を、車両のドアとすることができる。
【００５５】
これにより、車内の充電装置への携帯端末の置き忘れを防止することができる。
【００５６】
本発明の第７の側面の車両制御システムは、車両に設けられる充電装置と、車両のドアの施錠及び開錠の制御を行う車両制御装置と、ドアの施錠及び開錠に用いる携帯機と、携帯機と無線通信が可能な携帯端末とを備える車両制御システムにおいて、携帯端末は、携帯機と無線通信が可能な第１の無線通信部と、第１の無線通信部の制御を行う通信制御部と、空間内において携帯端末の非接触充電を行う充電装置の充電可能な範囲内に携帯端末が存在するか否かを検出可能な状態検出部と、携帯機との間の無線通信の状態に基づいて、携帯機の位置検出を行う位置検出部とを備え、携帯機は、携帯端末と無線通信が可能な第２の無線通信部と、第２の無線通信部と異なる方式により車両制御装置と無線通信が可能な第３の無線通信部とを備え、充電装置は、非接触充電を行う充電部を備え、車両制御装置は、携帯機と無線通信が可能な第４の無線通信部と、携帯機からの信号に基づいてドアの施錠及び開錠の制御を行う車両制御部とを備え、通信制御部は、状態検出部により充電可能な範囲内に携帯端末が存在することが検出されている場合に、位置検出部により携帯機が車両の室内を含む所定の範囲内に存在しないことが検出されたとき、第１の無線通信部から携帯機に携帯端末の置き忘れを示す信号を送信するように制御する。
【００５７】
本発明の第７の側面においては、充電可能な範囲内に携帯端末が存在することが検出されている場合に、携帯機が車両の室内を含む所定の範囲内に存在しないことが検出されたとき、携帯機に携帯端末の置き忘れを示す信号が送信される。
【００５８】
従って、ユーザに煩わしさを感じさせずに、車内の充電装置への携帯端末の置き忘れを防止することができる。
【００５９】
この充電装置は、例えば、非接触式の充電器により構成される。この車両制御装置は、例えば、ECUにより構成される。この携帯機は、例えば、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。この第１の無線通信部、第２の無線通信部は、例えば、BLE等の近距離無線通信を行う通信機器により構成される。この通信制御部、位置検出部、車両制御部は、例えば、CPU等のプロセッサにより構成される。この状態検出部は、例えば、CPU等のプロセッサ、又は、各種のセンサ等により構成される。この第３の無線通信部、第４の無線通信部は、例えば、LF帯や、UHF帯の315MHz帯又は900MHz帯の無線通信を行う通信機器により構成される。この充電部は、例えば、電力源を備える電力供給装置、又は、外部からの電力の供給を制御する制御装置により構成される。
【００６０】
本発明の第８の側面の情報処理方法は、所定の空間に備えられている出入口の施錠又は開錠の少なくとも一方に用いる携帯機と無線通信が可能な携帯端末が、空間内において携帯端末の非接触充電を行う充電装置の充電可能な範囲内に携帯端末が存在するか否かを検出し、充電可能な範囲内に携帯端末が存在する場合に、携帯機が空間の内部を含む所定の範囲内に存在しないことを検出したとき、携帯機に携帯端末の置き忘れを示す信号を送信するように制御するステップを含む。
【００６１】
本発明の第８の側面のプログラムは、所定の空間に備えられている出入口の施錠又は開錠の少なくとも一方に用いる携帯機と無線通信が可能な携帯端末のコンピュータに、
空間内において携帯端末の非接触充電を行う充電装置の充電可能な範囲内に携帯端末が存在するか否かを検出し、充電可能な範囲内に携帯端末が存在する場合に、携帯機が空間の内部を含む所定の範囲内に存在しないことを検出したとき、携帯機に携帯端末の置き忘れを示す信号を送信するように制御するステップを含む処理を実行させる。
【００６２】
本発明の第８の側面においては、充電可能な範囲内に携帯端末が存在する場合に、携帯機が空間の内部を含む所定の範囲内に存在しないことを検出したとき、携帯機に携帯端末の置き忘れを示す信号が送信される。
【００６３】
従って、ユーザに煩わしさを感じさせずに、車内の充電装置への携帯端末の置き忘れを防止することができる。
【００６４】
この携帯機は、例えば、車両用のキーフォブ等により構成される。この携帯端末は、例えば、携帯電話機、スマートフォン、タブレット型コンピュータ、ノート型コンピュータ、PDA、携帯動画プレーヤ、携帯音楽プレーヤ、デジタルカメラ、ICカード等により構成される。この充電装置は、例えば、非接触式の充電器により構成される。
【発明の効果】
【００６５】
本発明の第１の側面乃至第８の側面によれば、ユーザに煩わしさを感じさせずに、充電装置への携帯端末の置き忘れを防止することができる。
【図面の簡単な説明】
【００６６】
【図１】本発明を適用した情報処理システムの一実施の形態を示す図である。
【図２】情報処理部の機能の構成例を示すブロック図である。
【図３】携帯機の機能の構成例を示すブロック図である。
【図４】携帯端末の機能の構成例を示すブロック図である。
【図５】携帯端末による置き忘れ検出処理の第１の実施の形態を説明するためのフローチャートである。
【図６】携帯端末による置き忘れ検出処理の第２の実施の形態を説明するためのフローチャートである。
【図７】携帯端末による置き忘れ検出処理の第３の実施の形態を説明するためのフローチャートである。
【図８】情報処理部による置き忘れ検出処理の第１の実施の形態を説明するためのフローチャートである。
【図９】情報処理部による置き忘れ検出処理の第２の実施の形態を説明するためのフローチャートである。
【図１０】本発明を適用した車両制御システムの一実施の形態を示す図である。
【図１１】車載システムの機能の構成例を示すブロック図である。
【図１２】携帯機の機能の構成例を示すブロック図である。
【図１３】携帯端末の機能の構成例を示すブロック図である。
【図１４】携帯端末による置き忘れ検出処理の第１の実施の形態を説明するためのフローチャートである。
【図１５】携帯端末による置き忘れ検出処理の第２の実施の形態を説明するためのフローチャートである。
【図１６】携帯端末による置き忘れ検出処理の第３の実施の形態を説明するためのフローチャートである。
【図１７】車載システムによる置き忘れ検出処理の第１の実施の形態を説明するためのフローチャートである。
【図１８】車載システムによる置き忘れ検出処理の第２の実施の形態を説明するためのフローチャートである。
【発明を実施するための形態】
【００６７】
以下、本発明を実施するための形態（以下、実施の形態という）について説明する。なお、説明は以下の順序で行う。
１．第１の実施の形態（一般的な実施の形態）
２．第２の実施の形態（車両に適用した場合の実施の形態）
３．変形例
【００６８】
＜１．第１の実施の形態＞
まず、図１乃至図９を参照して、本発明の第１の実施の形態について説明する。
【００６９】
［情報処理システム１０１の構成例］
図１は、本発明の第１の実施の形態である情報処理システム１０１の構成例を示すブロック図である。
【００７０】
情報処理システム１０１は、空間１０２の管理等を行うシステムである。例えば、情報処理システム１０１は、携帯機１１２を用いた無線通信により空間１０２の出入口１０３の施錠又は開錠等を行う処理の制御（以下、出入口制御と称する）を行う。また、例えば、情報処理システム１０１は、空間１０２内に設置されている機器又は空間１０２に対する処理を行う機器（以下、空間機器と称する）の制御を行う。さらに、例えば、情報処理システム１０１は、空間１０２内の状態、空間機器の状態、空間機器が提供する情報等の空間１０２に関する情報（以下、空間情報と称する）を収集し、携帯機１１２や携帯端末１１３等に提供する。また、情報処理システム１０１は、後述するように、充電パッド１２２への携帯端末１１３の置き忘れを検出し、携帯機１１２に通知する処理を行う。
【００７１】
空間１０２は、例えば、出入口１０３が備えられ、出入口１０３を介して出入りすることが可能な所定の範囲の空間である。例えば、空間１０２は、居宅、店舗、ビル、工場、施設、倉庫等の各種の建造物、建造物内の部屋、車両等の乗り物の室内等の、境界が設けられた独立した空間により構成される。なお、空間１０２は必ずしも閉空間である必要はなく、一部（例えば、天井等）が開放されていてもよい。また、空間１０２を複数の独立した空間（例えば、隣接する複数の部屋等）により構成してもよい。
【００７２】
出入口１０３は、空間１０２への出入りが可能で、情報処理システム１０１により施錠又は開錠の少なくとも一方が制御可能なものであればよく、例えば、ドア、門、窓等により構成される。
【００７３】
なお、図１では、空間１０２に出入口１０３を１つのみ設けた例を示しているが、出入口１０３を２つ以上設けることも可能である。
【００７４】
情報処理システム１０１は、情報処理部１１１、携帯機１１２及び携帯端末１１３を含むように構成される。また、情報処理部１１１は、制御装置１２１及び充電パッド１２２を含むように構成される。
【００７５】
制御装置１２１は、空間１０２の管理等を行う。例えば、制御装置１２１は、出入口制御や空間機器の制御を行ったり、空間情報の収集及び提供を行ったりする。また、情報処理システム１０１は、後述するように、充電パッド１２２への携帯端末１１３の置き忘れを検出し、携帯機１１２に通知する処理を行う。さらに、制御装置１２１は、携帯機１１２と無線通信を行う。また、制御装置１２１は、充電パッド１２２の近接無線通信の制御を行う。
【００７６】
充電パッド１２２は、空間１０２内の所定の位置に設置される。充電パッド１２２は、例えば、電磁誘導等を用いたワイヤレス給電を行う非接触式の充電器により構成され、例えば、携帯端末１１３を置くだけで、携帯端末１１３のバッテリを非接触で充電することができる。さらに、充電パッド１２２は、制御装置１２１の制御の下に、携帯端末１１３等の他の機器とNFC（Near Field Communication）による近接無線通信を行う。
【００７７】
携帯機１１２は、例えば、小型の無線通信機器、ICカード、ICタグ、電子キー、車両用のキーフォブ等により構成される。携帯機１１２は、上述したように、制御装置１２１と無線通信を直接行う。また、携帯機１１２は、携帯端末１１３等の他の機器と、従来のBluetooth（登録商標）より消費電力の少ないBLE（Bluetooth Low Energy）による近距離無線通信を行う。さらに、携帯機１１２は、例えば、携帯端末１１３及び充電パッド１２２を介して、制御装置１２１と通信を行うこともできる。
【００７８】
そして、携帯機１１２は、例えば、制御装置１２１と無線通信を行うことにより、物理的な鍵を用いずに、出入口１０３の施錠又は開錠を行う機能を実現するために用いられる。ここで、携帯機１１２を用いた出入口１０３の施錠又は開錠方法の例について説明する。
【００７９】
例えば、制御装置１２１は、携帯機１１２が出入口１０３に接近し、空間１０２の外であって、出入口１０３付近の所定のエリア内に携帯機１１２が存在することを検出し、携帯機１１２の認証に成功した場合、出入口１０３を自動的に開錠する。或いは、制御装置１２１は、ユーザ操作により携帯機１１２から無線通信により送信される所定の操作信号に基づいて、出入口１０３の施錠又は開錠を行う。或いは、制御装置１２１は、出入口１０３のドアハンドル又はドアノブや、出入口１０３又はその付近に設けられているボタン等が操作された場合に、出入口１０３付近の所定のエリア内に正規の携帯機１１２が存在することが検出されたとき、出入口１０３の施錠又は開錠を行う。
【００８０】
また、携帯機１１２は、直接、又は、携帯端末１１３及び充電パッド１２２を介して、制御装置１２１と通信することにより、例えば、空間機器の操作を行ったり、空間情報を収集したりする機能を有する。
【００８１】
さらに、携帯機１１２は、制御装置１２１と携帯端末１１３との間の通信の中継を行うことができる。例えば、携帯機１１２は、空間情報を制御装置１２１から受信し、携帯端末１１３に転送することが可能である。これにより、ユーザは、携帯端末１１３を用いて空間情報を確認することが可能になる。また、例えば、携帯機１１２は、ユーザが携帯端末１１３に入力した操作情報を携帯端末１１３から受信し、制御装置１２１に転送することが可能である。これにより、携帯端末１１３を用いて空間機器の操作を行ったり、空間機器の処理に必要な情報を送信したりすることが可能になる。
【００８２】
なお、以下、携帯機１１２と制御装置１２１との間の無線通信を、単に無線通信と称する。また、以下、携帯機１１２と携帯端末１１３の間の無線通信（近距離無線通信）を、携帯機１１２と制御装置１２１の間の無線通信と区別するために、BLE通信と称する。さらに、以下、携帯端末１１３と充電パッド１２２の間の無線通信（近接無線通信）を、携帯機１１２と制御装置１２１の間の無線通信と区別するために、NFC通信と称する。
【００８３】
携帯端末１１３は、NFC通信及びBLE通信が可能であり、充電パッド１２２により非接触充電が可能な汎用の携帯端末により構成される。例えば、携帯端末１１３は、携帯電話機、スマートフォン、タブレット型コンピュータ、ノート型コンピュータ、PDA（携帯情報端末）、携帯動画プレーヤ、携帯音楽プレーヤ、デジタルカメラ、ICカード等により構成される。
【００８４】
［情報処理部１１１の構成例］
図２は、情報処理部１１１の制御装置１２１及び充電パッド１２２の機能の構成例を示すブロック図である。
【００８５】
制御装置１２１は、制御部２０１、無線通信部２０２、アンテナ２０３及び記憶部２０４を含むように構成される。
【００８６】
制御部２０１は、例えば、CPU（Central Processing Unit）等のプロセッサ等により構成される。そして、制御部２０１が所定の制御プログラムを実行することにより、通信制御部２１１、位置検出部２１２、及び、空間制御部２１３を含む機能が実現される。
【００８７】
通信制御部２１１は、無線通信部２０２、及び、充電パッド１２２のNFC通信部２５１の制御を行う。また、通信制御部２１１は、無線通信部２０２又はNFC通信部２５１が受信した信号を取得し、信号に含まれる情報等を、必要に応じて、情報処理部１１１の各部又は空間機器等に供給する。さらに、通信制御部２１１は、携帯機１１２に送信する情報等を、制御部２０１の各部又は空間機器等から取得し、無線通信部２０２又はNFC通信部２５１に供給する。また、通信制御部２１１は、携帯端末１１３に送信する情報等を、制御部２０１の各部又は空間機器等から取得し、NFC通信部２５１に供給する。
【００８８】
位置検出部２１２は、携帯機１１２と無線通信部２０２の間の通信状態に基づいて、携帯機１１２の位置検出を行う。また、位置検出部２１２は、必要に応じて、検出結果を情報処理部１１１の各部又は空間機器等に通知する。
【００８９】
空間制御部２１３は、携帯機１１２や携帯端末１１３からの通信内容に応じて、出入口制御や空間機器の制御を行ったり、空間機器に各種の指令を送信したりする。また、例えば、空間制御部２１３は、空間機器等から空間情報を収集し、必要に応じて、情報処理部１１１の各部に供給する。
【００９０】
無線通信部２０２は、通信制御部２１１の制御の下に、アンテナ２０３を介して、携帯機１１２と所定の方式の無線通信を行う。例えば、無線通信部２０２から携帯機１１２への方向の通信には、LF帯又はUHF帯の900MHz帯の無線通信が用いられ、携帯機１１２から無線通信部２０２への方向の通信には、UHF帯の315MHz帯又は900MHz帯の無線通信が用いられる。
【００９１】
なお、この図では、アンテナ２０３を１つのみ図示しているが、例えば、LF帯、UHF帯の315MHz帯、UHF帯の900MHz帯の無線通信用に、それぞれ異なるアンテナを設けるようにしてもよい。また、例えば、空間１０２内又は空間１０２の周辺の異なる位置に、それぞれ通信エリアが異なるようにLF帯の通信用のアンテナを複数設けるようにしてもよい。これにより、例えば、位置検出部２１２は、どのLF帯の通信用のアンテナからの信号を携帯機１１２が受信できたかに基づいて、携帯機１１２の位置検出を行うことができる。より具体的には、位置検出部２１２は、例えば、携帯機１１２が存在するエリアの検出、アンテナからの距離、携帯機１１２の内外判定等を行うことができる。ここで、携帯機１１２の内外判定とは、携帯機１１２が空間１０２の内部又は外部のいずれにあるかを判定することである。
【００９２】
また、例えば、携帯機１１２が、ICカードやICタグ等の近接無線通信を行う機器により構成される場合、無線通信部２０２の通信方法に近接無線通信を採用することも可能である。そして、例えば、空間１０２の外側の出入口１０３付近にアンテナ２０３を設け、無線通信部２０２が、アンテナ２０３を介して、携帯機１１２と近接無線通信を行うようにしてもよい。
【００９３】
記憶部２０４は、例えば、制御部２０１の処理に必要な情報や制御部２０１が処理を実行するための制御プログラム等を記憶する。また、例えば、記憶部２０４は、携帯機１１２や携帯端末１１３との間の認証処理に用いる認証情報等を記憶する。
【００９４】
充電パッド１２２は、NFC通信部２５１、充電部２５２及び機器検出部２５３を含むように構成される。
【００９５】
NFC通信部２５１は、通信制御部２１１の制御の下に、携帯端末１１３等の他の機器とNFC通信を行う。
【００９６】
充電部２５２は、携帯端末１１３等の他の機器に非接触で充電電力を供給する。
【００９７】
機器検出部２５３は、携帯端末１１３等の他の機器の充電パッド１２２への設置の有無を検出し、検出結果を制御装置１２１の制御部２０１に通知する。
【００９８】
なお、機器検出部２５３の検出方法には、任意の方法を採用することができる。例えば、機器検出部２５３は、NFC通信部２５１と他の機器との間の通信状態や、各種のセンサ（不図示）の検出結果を用いて、他の機器の設置の有無を検出することが可能である。
【００９９】
また、充電パッド１２２への他の機器の設置の有無は、例えば、充電パッド１２２の充電可能な範囲内における他の機器の有無に基づいて検出される。この場合、他の機器が物理的に充電パッド１２２に置かれたり、装着されたりしていなくても、充電可能な範囲内にあれば、充電パッド１２２に設置されていると判定される。一方、他の機器が充電パッド１２２の充電可能な範囲内から外に出た場合、その機器が充電パッド１２２から外れたと判定される。
【０１００】
或いは、例えば、充電パッド１２２への他の機器の設置の有無を、他の機器が物理的に充電パッド１２２に置かれたり、装着されているか否かに基づいて検出するようにしてもよい。なお、以下、前者の条件に基づいて、充電パッド１２２への他の機器の設置の有無を検出する場合の例について説明する。
【０１０１】
［携帯機１１２の構成例］
図３は、携帯機１１２の機能の構成例を示している。携帯機１１２は、操作部３０１、制御部３０２、記憶部３０３、表示部３０４、無線通信部３０５、BLE通信部３０６、及び、バッテリ３０７を含むように構成される。
【０１０２】
操作部３０１は、例えば、スイッチやボタン等の操作部材により構成される。操作部３０１は、操作内容を示す操作情報を制御部３０２に供給する。
【０１０３】
制御部３０２は、例えば、CPU（Central Processing Unit）等のプロセッサ等により構成される。そして、制御部３０２が所定の制御プログラムを実行することにより、通信制御部３１１、空間制御部３１２、及び、表示制御部３１３を含む機能が実現される。
【０１０４】
通信制御部３１１は、無線通信部３０５及びBLE通信部３０６の制御を行う。また、通信制御部３１１は、無線通信部３０５又はBLE通信部３０６等が受信した信号を取得し、信号に含まれる情報等を、必要に応じて、携帯機１１２の各部に供給する。さらに、通信制御部３１１は、制御装置１２１に送信する情報等を、携帯機１１２の各部から取得し、無線通信部３０５又はBLE通信部３０６に供給する。また、通信制御部３１１は、携帯端末１１３に送信する情報等を、携帯機１１２の各部から取得し、BLE通信部３０６に供給する。
【０１０５】
空間制御部３１２は、通信制御部３１１及び無線通信部３０５を介して、或いは、通信制御部３１１、BLE通信部３０６、携帯端末１１３及び充電パッド１２２を介して、出入口制御や、空間機器の操作等を行うための信号の送受信を制御装置１２１との間で行う。
【０１０６】
表示制御部３１３は、表示部３０４による画面表示を制御する。
【０１０７】
記憶部３０３は、例えば、制御部３０２の処理に必要な情報や制御部３０２が処理を実行するための制御プログラム等を記憶する。また、例えば、記憶部３０３は、制御装置１２１や携帯端末１１３との間の認証処理に用いる認証情報や、空間機器の操作に用いる操作情報等を記憶する。
【０１０８】
表示部３０４は、例えば、LCD（Liquid Crystal Display）、有機ELディスプレイ等の各種の表示装置により構成される。
【０１０９】
無線通信部３０５は、通信制御部３１１の制御の下に、制御装置１２１と無線通信を行う。
【０１１０】
BLE通信部３０６は、通信制御部２１１の制御の下に、携帯端末１１３とBLE通信を行う。
【０１１１】
バッテリ３０７は、携帯機１１２の各部に電力を供給する。
【０１１２】
［携帯端末１１３の構成例］
図４は、携帯端末１１３の機能の構成例を示している。携帯端末１１３は、操作部３５１、制御部３５２、記憶部３５３、表示部３５４、BLE通信部３５５、NFC通信部３５６、充電制御部３５７、及び、バッテリ３５８を含むように構成される。
【０１１３】
操作部３５１は、例えば、タッチパネル、スイッチ、ボタン、キーボード等の操作部材や、音声認識による音声コマンドを入力可能な入力手段等により構成される。操作部３５１は、操作内容を示す操作情報を制御部３５２に供給する。
【０１１４】
制御部３５２は、例えば、CPU（Central Processing Unit）等のプロセッサ等により構成される。そして、制御部３５２が所定の制御プログラムを実行することにより、通信制御部３６１、空間制御部３６２、状態検出部３６３、位置検出部３６４、及び、表示制御部３６５を含む機能が実現される。
【０１１５】
通信制御部３６１は、BLE通信部３５５及びNFC通信部３５６の制御を行う。また、通信制御部３６１は、BLE通信部３５５又はNFC通信部３５６が受信した信号を取得し、信号に含まれる情報等を、必要に応じて、携帯端末１１３の各部に供給する。さらに、通信制御部３６１は、携帯機１１２又は制御装置１２１に送信する情報等を、携帯端末１１３の各部から取得し、BLE通信部３５５に供給する。また、通信制御部３６１は、制御装置１２１に送信する情報等を、携帯端末１１３の各部から取得し、NFC通信部３５６に供給する。
【０１１６】
空間制御部３６２は、通信制御部３６１、BLE通信部３５５及び携帯機１１２を介して、或いは、通信制御部３６１、NFC通信部３５６及び充電パッド１２２を介して、例えば、空間機器の操作等を行うための信号の送受信を制御装置１２１との間で行う。
【０１１７】
状態検出部３６３は、携帯端末１１３の充電パッド１２２への設置状態を検出し、必要に応じて、検出結果を携帯端末１１３の各部に通知する。
【０１１８】
なお、状態検出部３６３の携帯端末１１３の設置状態の検出方法には、任意の方法を採用することができる。例えば、状態検出部３６３は、NFC通信部３５６と充電パッド１２２との間の通信状態や、各種のセンサ（不図示）の検出結果を用いて、携帯端末１１３が充電パッド１２２に設置されているか否かを検出することが可能である。
【０１１９】
また、携帯端末１１３の充電パッド１２２への設置状態は、例えば、充電パッド１２２の充電可能な範囲内に携帯端末１１３が設置されているか否かに基づいて検出される。この場合、携帯端末１１３が物理的に充電パッド１２２に置かれたり、装着されたりしていなくても、充電可能な範囲内にあれば、充電パッド１２２に設置されていると判定される。一方、他の機器が充電パッド１２２の充電可能な範囲内から外に出た場合、その機器が充電パッド１２２から外れたと判定される。
【０１２０】
或いは、例えば、携帯端末１１３の充電パッド１２２への設置状態を、携帯端末１１３が物理的に充電パッド１２２に置かれたり、装着されているか否かに基づいて検出するようにしてもよい。なお、以下、前者の条件に基づいて、携帯端末１１３の充電パッド１２２への設置状態を検出する場合の例について説明する。
【０１２１】
また、状態検出部３６３は、充電制御部３５７からの情報に基づいて、バッテリ３５８の状態（例えば、バッテリ３５８の残量や充電状態等）を検出する。そして、状態検出部３６３は、必要に応じて、検出結果を携帯端末１１３の各部に通知する。
【０１２２】
位置検出部３６４は、携帯機１１２とBLE通信部３５５との間の通信状態に基づいて、携帯機１１２の位置検出を行い、必要に応じて、検出結果を携帯端末１１３の各部に通知する。
【０１２３】
表示制御部３６５は、表示部３５４による画面表示を制御する。
【０１２４】
記憶部３５３は、例えば、制御部３５２の処理に必要な情報や制御部３５２が処理を実行するための制御プログラム等を記憶する。また、例えば、記憶部３０３は、制御装置１２１や携帯機１１２との間の認証処理に用いる認証情報を記憶する。
【０１２５】
表示部３５４は、例えば、LCD（Liquid Crystal Display）、有機ELディスプレイ等の各種の表示装置により構成される。
【０１２６】
BLE通信部３５５は、通信制御部３６１の制御の下に、携帯機１１２等の他の機器とBLE通信を行う。また、BLE通信部３５５は、他の機器からの信号の受信強度を測定し、測定結果を制御部３５２に通知する。
【０１２７】
NFC通信部３５６は、通信制御部３６１の制御の下に、充電パッド１２２等の他の機器とNFC通信を行う。
【０１２８】
充電制御部３５７は、例えば、充電回路等により構成される。充電制御部３５７は、充電パッド１２２の充電部２５２から電磁誘導等により供給される電力の受信、及び、受信した電力によるバッテリ３５８の充電の制御を行う。また、充電制御部３５７は、バッテリ３５８の状態や充電状態を示す情報を制御部３５２に供給する。
【０１２９】
バッテリ３５８は、携帯端末１１３の各部に電力を供給する。
【０１３０】
［情報処理システム１０１の処理］
次に、図５乃至図９を参照して、情報処理システム１０１の処理について説明する。
【０１３１】
（携帯端末１１３による置き忘れ検出処理の第１の実施の形態）
まず、図５のフローチャートを参照して、携帯端末１１３により携帯端末１１３の充電パッド１２２への置き忘れを検出する場合の処理の第１の実施の形態について説明する。この処理は、例えば、携帯端末１１３が充電パッド１２２の充電可能な範囲内に置かれ、携帯端末１１３の状態検出部３６３が、携帯端末１１３が充電パッド１２２に設置されたことを検出したとき開始される。
【０１３２】
ステップＳ１において、状態検出部３６３は、携帯端末１１３が充電パッド１２２から外れたか否かを判定する。状態検出部３６３は、携帯端末１１３が充電パッド１２２の充電可能な範囲内に存在する場合、携帯端末１１３が充電パッド１２２から外れていないと判定し、処理はステップＳ２に進む。
【０１３３】
ステップＳ２において、携帯端末１１３は、携帯機１１２の位置検出を行う。具体的には、BLE通信部３５５は、通信制御部３６１の制御の下に、携帯機１１２との間でBLE通信を試みる。BLE通信部３５５は、携帯機１１２との通信が成功した場合、携帯機１１２からの信号の受信強度を測定し、通信制御部３６１を介して、測定結果を位置検出部３６４に供給する。位置検出部３６４は、携帯機１１２からの信号の受信強度に基づいて、携帯機１１２までの距離を算出する。これにより、携帯端末１１３が現在設置されている充電パッド１２２の位置を基準にして、携帯機１１２が存在する範囲が検出される。
【０１３４】
ステップＳ３において、位置検出部３６４は、ステップＳ２の処理の結果に基づいて、携帯機１１２が所定の範囲内に存在するか否かを判定する。携帯機１１２が所定の範囲内に存在すると判定された場合、処理はステップＳ１に戻る。
【０１３５】
その後、ステップＳ１において、携帯端末１１３が充電パッド１２２から外れたと判定されるか、ステップＳ３において、携帯機１１２が所定の範囲内に存在しないと判定されるまで、ステップＳ１乃至Ｓ３の処理が繰り返し実行される。
【０１３６】
一方、ステップＳ３において、携帯機１１２が所定の範囲内に存在しないと判定された場合、処理はステップＳ４に進む。例えば、この所定の範囲が空間１０２の内部とほぼ同じ範囲に設定されている場合、これは、携帯端末１１３が空間１０２内の充電パッド１２２に設置された状態で、携帯機１１２が空間１０２の外に出た状況であると想定される。より具体的には、例えば、携帯機１１２を所持するユーザが、携帯端末１１３を充電したまま充電パッド１２２に置き忘れて、空間１０２の外に出てしまった状況が想定される。
【０１３７】
なお、この所定の範囲は、空間１０２の内部を含んでいれば、必ずしも空間１０２の内部と一致している必要はない。すなわち、この所定の範囲は、空間１０２の内部と一致する範囲でも、或いは、空間１０２の周辺も含む空間１０２より広い範囲でもよい。また、空間１０２の内部であっても、携帯機１１２が存在する可能性が低い場所を、当該所定の範囲から除外することも可能である。
【０１３８】
ステップＳ４において、携帯端末１１３は、携帯機１１２への通知を行い、置き忘れ検出処理は終了する。具体的には、BLE通信部３５５は、通信制御部３６１の制御の下に、携帯端末１１３の充電パッド１２２への置き忘れを通知するための所定の信号（以下、置き忘れ通知信号Ａと称する）を、BLE通信により携帯機１１２に送信する。
【０１３９】
携帯機１１２の通信制御部３１１は、BLE通信部３０６を介して、携帯端末１１３から置き忘れ通知信号Ａを受信する。そして、例えば、表示部３０４は、表示制御部３１３の制御の下に、携帯端末１１３の充電パッド１２２への置き忘れを通知するための画面を表示する。
【０１４０】
これにより、携帯機１１２を所持するユーザは、携帯端末１１３を充電パッド１２２に置き忘れたことを迅速に知ることができ、空間１０２内に取りに戻る等の対応を速やかに行うことができる。また、携帯機１１２の表示部３０４に通知画面が表示されるだけなので、ユーザに煩わしさを感じさせることがない。
【０１４１】
さらに、例えば、通知画面を表示したまま保持したり、後で通知内容を見られるようにすることにより、ユーザは、表示直後に気づかなくても、後で通知内容を確認することができる。これにより、ユーザは、携帯端末１１３を置き忘れた場所を認識することができ、安心感を得ることができる。
【０１４２】
なお、このとき、表示以外の通知方法を用いるようしてもよい。例えば、ブザーなどの音声出力装置による音声、LED等の発光部材による光の点灯又は点滅、バイブレーションによる携帯機１１２の振動等により、通知するようにしてもよい。また、複数の通知方法を組み合わせてもよい。なお、なるべくユーザに煩わしさを感じさせずに、かつ、確実にユーザに気づかせることが可能な通知方法を採用することが望ましい。
【０１４３】
一方、ステップＳ１において、状態検出部３６３は、携帯端末１１３が充電パッド１２２の充電可能な範囲内に存在しない場合、携帯端末１１３が充電パッド１２２から外れたと判定し、置き忘れ検出処理は終了する。
【０１４４】
（携帯端末１１３による置き忘れ検出処理の第２の実施の形態）
次に、図６のフローチャートを参照して、携帯端末１１３により携帯端末１１３の充電パッド１２２への置き忘れを検出する場合の処理の第２の実施の形態について説明する。この処理は、例えば、携帯端末１１３が充電パッド１２２の充電可能な範囲内に置かれ、携帯端末１１３の状態検出部３６３が、携帯端末１１３が充電パッド１２２に設置されたことを検出したとき開始される。
【０１４５】
なお、この第２の実施の形態では、第１の実施の形態と比較して、携帯端末１１３が携帯機１１２の位置検出を行うタイミングが異なる。
【０１４６】
具体的には、ステップＳ３１において、図５のステップＳ１の処理と同様に、携帯端末１１３が充電パッド１２２から外れたか否かが判定される。携帯端末１１３が充電パッド１２２から外れていないと判定された場合、処理はステップＳ３２に進む。
【０１４７】
ステップＳ３２において、位置検出部３６４は、制御装置１２１からの情報に基づいて、携帯機１１２が空間１０２の外に出る又は出た可能性があるか否かを判定する。具体的には、制御装置１２１の空間制御部２１３は、出入口１０３や空間機器等から携帯機１１２が空間１０２の外に出る又は出た可能性があるイベントの発生を示す情報を取得した場合、そのイベントの発生を示す信号（以下、イベント通知信号と称する）を、通信制御部２１１及び充電パッド１２２のNFC通信部２５１を介して携帯端末１１３に送信する。
【０１４８】
なお、携帯機１１２が空間１０２の外に出る又は出た可能性があるイベントとしては、例えば、出入口１０３の開閉、出入口１０３の施錠又は開錠等が想定される。
【０１４９】
そして、携帯端末１１３の位置検出部３６４は、そのイベント通知信号を受信していない場合、携帯機１１２が空間１０２の外に出る又は出た可能性がないと判定し、処理はステップＳ３１に戻る。
【０１５０】
その後、ステップＳ３１において、携帯端末１１３が充電パッド１２２から外れたと判定されるか、ステップＳ３２において、携帯機１１２が空間１０２の外に出る又は出た可能性があると判定されるまで、ステップＳ３１及びＳ３２の処理が繰り返し実行される。
【０１５１】
一方、ステップＳ３２において、位置検出部３６４は、NFC通信部３５６及び通信制御部３６１を介して、充電パッド１２２からイベント通知信号を受信した場合、携帯機１１２が空間１０２の外に出る又は出た可能性があると判定し、処理はステップＳ３３に進む。
【０１５２】
ステップＳ３３において、図５のステップＳ２の処理と同様に、携帯機１１２の位置検出が行われる。なお、通知されるイベントの種類によっては、携帯機１１２（を持つユーザ）が空間１０２から出る前又は出ようとしている最中である場合も想定されるため、位置検出を所定の時間継続して行うようにしてもよい。
【０１５３】
ステップＳ３４において、図５のステップＳ３の処理と同様に、携帯機１１２が所定の範囲内に存在するか否かが判定される。携帯機が所定の範囲内に存在すると判定された場合、処理はステップＳ３１に戻る。
【０１５４】
その後、ステップＳ３１において、携帯端末１１３が充電パッド１２２から外れたと判定されるか、ステップＳ３４において、携帯機１１２が所定の範囲内に存在しないと判定されるまで、ステップＳ３１乃至Ｓ３４の処理が繰り返し実行される。
【０１５５】
一方、ステップＳ３４において、携帯機１１２が所定の範囲内に存在しないと判定された場合、処理はステップＳ３５に進む。
【０１５６】
ステップＳ３５において、図５のステップＳ４の処理と同様に、携帯機１１２への通知が行われ、置き忘れ検出処理は終了する。
【０１５７】
一方、ステップＳ３１において、携帯端末１１３が充電パッド１２２から外れたと判定された場合、置き忘れ検出処理は終了する。
【０１５８】
このように、この第２の実施の形態では、携帯機１１２の位置検出を行うタイミングを、携帯機１１２が空間１０２の外に出る又は出た可能性があるタイミングに限定することができ、携帯端末１１３の消費電力を低減させることができる。
【０１５９】
（携帯端末１１３による置き忘れ検出処理の第３の実施の形態）
次に、図７のフローチャートを参照して、携帯端末１１３により携帯端末１１３の充電パッド１２２への置き忘れを検出する場合の処理の第３の実施の形態について説明する。この処理は、例えば、携帯端末１１３が充電パッド１２２の充電可能な範囲内に置かれ、携帯端末１１３の状態検出部３６３が、携帯端末１１３が充電パッド１２２に設置されたことを検出したとき開始される。
【０１６０】
なお、この第３の実施の形態では、第１及び第２の実施の形態と比較して、携帯端末１１３が、携帯機１１２の位置検出を行わずに、制御装置１２１による携帯機１１２の位置検出の結果を利用する点が異なる。
【０１６１】
ステップＳ６１において、図５のステップＳ１の処理と同様に、携帯端末１１３が充電パッド１２２から外れたか否かが判定される。携帯端末１１３が充電パッド１２２から外れていないと判定された場合、処理はステップＳ６２に進む。
【０１６２】
ステップＳ６２において、通信制御部３６１は、携帯機１１２の位置検出の結果が通知されたか否かを判定する。具体的には、制御装置１２１の位置検出部２１２は、所定のタイミングで、例えば、図２を参照して上述した方法により携帯機１１２の位置検出を行う。ここで、所定のタイミングとは、例えば、上述した携帯機１１２が空間１０２の外に出る又は出た可能性があるイベントが発生したタイミングである。或いは、位置検出部２１２が、定期的に携帯機１１２の位置検出を行うようにしてもよい。
【０１６３】
そして、制御装置１２１の通信制御部２１１は、位置検出部２１２により位置検出が行われた場合、検出結果を示す信号（以下、位置検出信号と称する）を、充電パッド１２２のNFC通信部２５１を介して、携帯端末１１３に送信する。
【０１６４】
携帯端末１１３の通信制御部３６１は、その位置検出信号を受信していない場合、携帯機１１２の位置検出の結果が通知されていないと判定し、処理はステップＳ６１に戻る。
【０１６５】
その後、ステップＳ６１において、携帯端末１１３が充電パッド１２２から外れたと判定されるか、ステップＳ６２において、携帯機１１２の位置検出の結果が通知されたと判定されるまで、ステップＳ６１及びＳ６２の処理が繰り返し実行される。
【０１６６】
一方、ステップＳ６２において、通信制御部３６１は、充電パッド１２２から位置検出信号を受信した場合、携帯機１１２の位置検出の結果が通知されたと判定し、処理はステップＳ６３に進む。
【０１６７】
ステップＳ６３において、位置検出部２１２は、携帯端末１１３による携帯機１１２の位置検出の結果に基づいて、携帯機１１２が所定の範囲内に存在するか否かを判定する。携帯機１１２が所定の範囲内に存在すると判定された場合、処理はステップＳ６１に戻る。
【０１６８】
その後、ステップＳ６１において、携帯端末１１３が充電パッド１２２から外れたと判定されるか、ステップＳ６３において、携帯機１１２が所定の範囲内に存在しないと判定されるまで、ステップＳ６１乃至Ｓ６３の処理が繰り返し実行される。
【０１６９】
一方、ステップＳ６３において、携帯機１１２が所定の範囲内に存在しないと判定された場合、処理はステップＳ６４に進む。
【０１７０】
ステップＳ６４において、図５のステップＳ４の処理と同様に、携帯機１１２への通知が行われ、置き忘れ検出処理は終了する。
【０１７１】
一方、ステップＳ６１において、携帯端末１１３が充電パッド１２２から外れたと判定された場合、置き忘れ検出処理は終了する。
【０１７２】
これにより、例えば、携帯端末１１３が、携帯機１１２の位置検出機能を有していない場合でも、携帯端末１１３の置き忘れを検出し、携帯機１１２に通知することが可能になる。
【０１７３】
（情報処理部１１１による置き忘れ検出処理の第１の実施の形態）
次に、図８のフローチャートを参照して、情報処理部１１１により携帯端末１１３の充電パッド１２２への置き忘れを検出する場合の処理の第１の実施の形態について説明する。この処理は、例えば、携帯端末１１３が充電パッド１２２の充電可能な範囲内に置かれ、充電パッド１２２の機器検出部２５３が、携帯端末１１３が充電パッド１２２に設置されたことを検出し、検出結果を制御装置１２１の制御部２０１に通知したとき開始される。
【０１７４】
ステップＳ１０１において、充電パッド１２２の機器検出部２５３は、携帯端末１１３が充電パッド１２２から外れたか否かを判定する。機器検出部２５３は、携帯端末１１３が充電パッド１２２の充電可能な範囲内に存在する場合、携帯端末１１３が充電パッド１２２から外れていないと判定し、処理はステップＳ１０２に進む。
【０１７５】
ステップＳ１０２において、制御装置１２１の位置検出部２１２は、例えば、図２を参照して上述した方法により、携帯機１１２の位置検出を行う。
【０１７６】
ステップＳ１０３において、位置検出部２１２は、ステップＳ１０２の処理の結果に基づいて、携帯機１１２が所定の範囲内に存在するか否かを判定する。携帯機１１２が所定の範囲内に存在すると判定された場合、処理はステップＳ１０１に戻る。
【０１７７】
なお、この所定の範囲は、例えば、図８のステップＳ３の処理における所定の範囲と同様の範囲に設定される。ただし、必ずしもステップＳ３の処理における所定の範囲と完全に一致する必要はない。
【０１７８】
その後、ステップＳ１０１において、携帯端末１１３が充電パッド１２２から外れたと判定されるか、ステップＳ１０３において、携帯機１１２が所定の範囲内に存在しないと判定されるまで、ステップＳ１０１乃至Ｓ１０３の処理が繰り返し実行される。
【０１７９】
一方、ステップＳ１０３において、携帯機１１２が所定の範囲内に存在しないと判定された場合、処理はステップＳ１０４に進む。
【０１８０】
ステップＳ１０４において、制御装置１２１は、携帯機１１２への通知を行い、置き忘れ検出処理は終了する。具体的には、制御装置１２１の無線通信部２０２は、通信制御部２１１の制御の下に、携帯端末１１３の充電パッド１２２への置き忘れを通知するための所定の信号（以下、置き忘れ通知信号Ｂと称する）を携帯機１１２に送信する。なお、このとき、例えば、UHF帯の900MHz帯の無線通信を用いることにより、携帯機１１２の置き忘れを通知できる範囲を広げることができる。
【０１８１】
携帯機１１２の通信制御部３１１は、無線通信部３０５を介して、制御装置１２１から置き忘れ通知信号Ｂを受信する。そして、上述したように、携帯機１１２は、所定の通知方法により、携帯端末１１３の置き忘れのおそれがあることを通知する。
【０１８２】
一方、ステップＳ１０１において、機器検出部２５３は、携帯端末１１３が充電パッド１２２の充電可能な範囲内に存在しない場合、携帯端末１１３が充電パッド１２２から外れたと判定し、置き忘れ検出処理は終了する。
【０１８３】
このように、制御装置１２１から携帯機１１２に携帯端末１１３の置き忘れを通知することにより、携帯端末１１３から通知する場合と比較して、通知可能な範囲を広げることができる。また、携帯端末１１３の消費電力を低減することができる。
【０１８４】
（情報処理部１１１による置き忘れ検出処理の第２の実施の形態）
次に、図９のフローチャートを参照して、情報処理部１１１により携帯端末１１３の充電パッド１２２への置き忘れを検出する場合の処理の第２の実施の形態について説明する。この処理は、例えば、携帯端末１１３が充電パッド１２２の充電可能な範囲内に置かれ、充電パッド１２２の機器検出部２５３が、携帯端末１１３が充電パッド１２２に設置されたことを検出し、検出結果を制御装置１２１の制御部２０１に通知したとき開始される。
【０１８５】
なお、この第２の実施の形態では、第１の実施の形態と比較して、制御装置１２１が携帯機１１２の位置検出を行うタイミングが異なる。
【０１８６】
ステップＳ１３１において、図８のステップＳ１０１の処理と同様に、携帯端末１１３が充電パッド１２２から外れたか否かが判定される。携帯端末１１３が充電パッド１２２から外れていないと判定された場合、処理はステップＳ１３２に進む。
【０１８７】
ステップＳ１３２において、空間制御部２１３は、携帯機１１２が空間１０２の外に出る又は出た可能性があるか否かを判定する。空間制御部２１３は、出入口１０３や空間機器等から携帯機１１２が空間１０２の外に出る又は出た可能性があるイベントの発生を示す情報を取得していない場合、携帯機１１２が空間１０２の外に出る又は出た可能性がないと判定し、処理はステップＳ１３１に戻る。なお、携帯機１１２が空間１０２の外に出る又は出た可能性があるイベントの例は、図５のステップＳ３２の処理の説明で示したとおりである。
【０１８８】
その後、ステップＳ１３１において、携帯端末１１３が充電パッド１２２から外れたと判定されるか、ステップＳ１３２において、携帯機１１２が空間１０２の外に出る又は出た可能性があると判定されるまで、ステップＳ１３１及びＳ１３２の処理が繰り返し実行される。
【０１８９】
一方、ステップＳ１３２において、空間制御部２１３は、出入口１０３や空間機器等から携帯機１１２が空間１０２の外に出る又は出た可能性があるイベントの発生を示す情報を取得した場合、携帯機１１２が空間１０２の外に出る又は出た可能性があると判定し、処理はステップＳ１３３に進む。
【０１９０】
ステップＳ１３３において、図８のステップＳ１０２の処理と同様に、携帯機１１２の位置検出が行われる。
【０１９１】
ステップＳ１３４において、図８のステップＳ１０３の処理と同様に、携帯機１１２が所定の範囲内に存在するか否かが判定される。携帯機１１２が所定の範囲内に存在すると判定された場合、処理はステップＳ１３１に戻る。
【０１９２】
その後、ステップＳ１３１において、携帯端末１１３が充電パッド１２２から外れたと判定されるか、ステップＳ１３４において、携帯機１１２が所定の範囲内に存在しないと判定されるまで、ステップＳ１３１乃至Ｓ１３４の処理が繰り返し実行される。
【０１９３】
一方、ステップＳ１３４において、携帯機１１２が所定の範囲内に存在しないと判定された場合、処理はステップＳ１３５に進む。
【０１９４】
ステップＳ１３５において、図８のステップＳ１０４の処理と同様に、携帯機１１２への通知が行われ、置き忘れ検出処理は終了する。
【０１９５】
一方、ステップＳ１３１において、携帯端末１１３が充電パッド１２２から外れたと判定された場合、置き忘れ検出処理は終了する。
【０１９６】
このように、この第２の実施の形態では、携帯機１１２の位置検出を携帯機１１２が空間１０２の外に出る又は出た可能性があるタイミングに限定することができ、制御装置１２１の消費電力を低減させることができる。
【０１９７】
＜２．第２の実施の形態＞
次に、図１０乃至図１８を参照して、本発明の第２の実施の形態について説明する。この第２の実施の形態は、上述した第１の実施の形態を車両に適用した場合の例を示している。
【０１９８】
［車両制御システム１０１の構成例］
図１０は、本発明の第２の実施の形態である車両制御システム４０１の構成例を示すブロック図である。
【０１９９】
車両制御システム４０１は、車両４０２の始動の可不可を制御するイモビライザやドアの施開錠等の制御を行うシステムである。車両制御システム４０１は、車載システム４１１、操作部４１２、携帯機４１３、及び、携帯端末４１４を含むように構成される。
【０２００】
車載システム４１１は、車両４０２に設けられるシステムである。車載システム４１１は、ECU（Electronic Control Unit）４２１、アンテナ４２２−１乃至４２２−ｎ、アンテナ４２３、アンテナ４２４、及び、充電パッド４２５を含むように構成される。
【０２０１】
ECU４２１は、車両４０２のイモビライザやドアの施開錠等の制御を行う。また、ECU４２１は、アンテナ４２２−１乃至４２２−ｎ、アンテナ４２３、及び、アンテナ４２４を介して、携帯機４１３と無線通信を行う。さらに、ECU４２１は、充電パッド４２５と専用線により接続され、充電パッド４２５の充電処理及び近接無線通信の制御を行う。
【０２０２】
アンテナ４２２−１乃至４２２−ｎは、LF帯の信号の送信に用いられる。アンテナ４２２−１乃至４２２−ｎは、例えば、運転席と助手席の間、後部座席の中央、ドアハンドル、サイドミラー、ピラー、荷物室等の車両４０２の異なる位置にそれぞれ設けられ、通信エリアがそれぞれ異なる。そして、ECU４２１は、例えば、アンテナ４２２−１乃至４２２−ｎのうちどのアンテナからの信号を携帯機４１３が受信できたかを検出することにより、携帯機４１３の位置検出を行う。より具体的には、例えば、ECU４２１は、車内検出のアンテナから送信した信号を携帯機４１３が受信し、受信信号を返してきた場合には携帯機４１３が存在するエリアの検出、アンテナ４２２−１乃至４２２−ｎからの距離、携帯機４１３の内外判定等を行う。ここで、携帯機４１３の内外判定とは、携帯機４１３が車両４０２の内部又は外部のいずれにあるかを判定することである。
【０２０３】
なお、アンテナ４２２−１乃至４２２−ｎの数は、１以上の任意の数に設定することができる。また、以下、アンテナ４２２−１乃至４２２−ｎを個々に区別する必要がない場合、単にアンテナ４２２と称する。
【０２０４】
アンテナ４２３は、UHF帯の315MHz帯の信号の受信に用いられ、車両４０２の所定の位置に設けられる。なお、アンテナ４２３の数は１つに限定されるものではなく、２つ以上設けることも可能である。
【０２０５】
アンテナ４２４は、UHF帯の900MHz帯の信号の送受信（双方向通信）に用いられ、車両４０２の所定の位置に設けられる。アンテナ４２４は、例えば、携帯機４１３がアンテナ４２２又はアンテナ４２３の通信エリアの外にある場合に、携帯機４１３と通信を行うときに用いられる。なお、アンテナ４２４の数は１つに限定されるものではなく、２つ以上設けることも可能である。
【０２０６】
操作部４１２は、車両４０２の各種の操作を行う操作部材により構成される。例えば、操作部４１２は、車両４０２のドアハンドル又はドア付近に設けられているボタンや、車両４０２の始動に用いる始動スイッチ等を含む。操作部４１２は、操作内容を示す操作情報をECU４２１に供給する。
【０２０７】
充電パッド４２５は、車両４０２の室内の所定の位置、例えば、運転席と助手席の間のアームレスト又はドリンクホルダ等に設置される。また、充電パッド４２５は、例えば、電磁誘導等を用いたワイヤレス給電を行う非接触式の充電器により構成され、例えば、携帯端末４１４を置くだけで、携帯端末４１４のバッテリを非接触で充電することができる。さらに、充電パッド４２５は、ECU４２１の制御の下に、携帯端末４１４等の他の機器とNFC（Near Field Communication）による近接無線通信を行う。
【０２０８】
携帯機４１３は、例えば、車両４０２に搭載された機器の操作に用いる専用のキーフォブ等により構成される。携帯機４１３は、上述したように、直接ECU４２１と無線通信を行う。また、携帯機４１３は、携帯端末４１４等の他の機器と、従来のBluetooth（登録商標）より消費電力の少ないBLE（Bluetooth Low Energy）による近距離無線通信を行うことができる。さらに、携帯機４１３は、例えば、携帯端末４１４及び充電パッド４２５を介して、ECU４２１と通信を行うこともできる。
【０２０９】
そして、携帯機４１３は、直接、又は、携帯端末４１４及び充電パッド４２５を介して、ECU４２１と通信することにより、キーレスエントリ、パッシブエントリ、プッシュスタート等の車両４０２の所定の機能を実行させる。
【０２１０】
ここで、キーレスエントリとは、物理的な鍵を用いたり、ドアの操作を行うことなく、携帯機４１３を操作することにより、車両４０２のドアの施錠又は開錠の遠隔操作を行う機能である。また、パッシブエントリとは、車両４０２のドアハンドル又はドア付近のボタン等を操作した場合にドア付近に携帯機４１３が検出されたとき、ドアの施錠又は開錠を行う機能である。さらに、プッシュスタートとは、車内の始動スイッチ等を押下した場合に車内に携帯機４１３が検出されたとき、イモビライザによる車両４０２の始動制限を解除し、車両４０２の始動を可能にする機能である。
【０２１１】
また、携帯機４１３は、ECU４２１と携帯端末４１４との間の通信の中継を行うことができる。例えば、携帯機４１３は、車両４０２に関する車両情報をECU４２１から受信し、携帯端末４１４に転送することが可能である。これにより、携帯端末４１４を用いて車両情報を確認することが可能になる。なお、車両情報には、例えば、車両４０２の故障診断情報や燃費情報等が含まれる。
【０２１２】
また、例えば、携帯機４１３は、ユーザが携帯端末４１４に入力した車両４０２の操作情報を携帯端末４１４から受信し、ECU４２１に転送することが可能である。これにより、携帯端末４１４を用いて車両４０２の所定の操作（例えば、キーレスエントリ等）を行うことが可能になる。さらに、例えば、携帯機４１３は、車両４０２で使用する情報（例えば、音楽情報やカーナビゲーションシステムの更新用の地図情報等）を携帯端末４１４から受信し、ECU４２１に転送することが可能である。
【０２１３】
なお、以下、携帯機４１３とECU４２１との間の無線通信を、単に無線通信と称する。また、以下、携帯機４１３と携帯端末４１４の間の無線通信（近距離無線通信）を、携帯機４１３とECU４２１の間の無線通信と区別するために、BLE通信と称する。さらに、以下、携帯端末４１４と充電パッド４２５の間の無線通信（近接無線通信）を、携帯機４１３とECU４２１の間の無線通信と区別するために、NFC通信と称する。
【０２１４】
携帯端末４１４は、NFC通信及びBLE通信が可能であり、充電パッド４２５により非接触充電が可能な汎用の携帯端末により構成される。例えば、携帯端末４１４は、携帯電話機、スマートフォン、タブレット型コンピュータ、ノート型コンピュータ、PDA（携帯情報端末）、携帯動画プレーヤ、携帯音楽プレーヤ、デジタルカメラ、ICカード等により構成される。
【０２１５】
［車載システム４１１の構成例］
図１１は、車載システム４１１のECU４２１及び充電パッド４２５の機能の構成例を示すブロック図である。
【０２１６】
ECU４２１は、制御部５０１、無線通信部５０２及び記憶部５０３を含むように構成される。
【０２１７】
制御部５０１は、例えば、CPU（Central Processing Unit）等のプロセッサ等により構成される。そして、制御部５０１が所定の制御プログラムを実行することにより、通信制御部５１１、充電制御部５１２、位置検出部５１３、及び、車両制御部５１４を含む機能が実現される。
【０２１８】
通信制御部５１１は、無線通信部５０２、及び、充電パッド４２５のNFC通信部５５１の制御を行う。また、通信制御部５１１は、無線通信部５０２又はNFC通信部５５１が受信した信号を取得し、信号に含まれる情報等を、必要に応じて、車載システム４１１の各部又は車両４０２の各部に供給する。さらに、通信制御部５１１は、携帯機４１３に送信する情報等を、制御部５０１又は車両４０２の各部から取得し、無線通信部５０２又はNFC通信部５５１に供給する。さらに、通信制御部５１１は、携帯端末４１４に送信する情報等を、制御部５０１又は車両４０２の各部から取得し、NFC通信部５５１に供給する。
【０２１９】
充電制御部５１２は、充電パッド４２５の充電部５５２の制御を行う。
【０２２０】
位置検出部５１３は、携帯機４１３と無線通信部５０２の間の通信状態、又は、携帯機４１３と携帯端末４１４との間の通信状態に基づいて、携帯機４１３の位置検出を行う。また、位置検出部５１３は、必要に応じて、検出結果を車載システム４１１の各部又は車両４０２の各部に通知する。
【０２２１】
車両制御部５１４は、携帯機４１３や携帯端末４１４からの通信内容や操作部４１２の操作内容に応じて、車両４０２の各部の制御を行ったり、他のECU等に各種の指令を送信したりする。これにより、例えば、キーレスエントリ、パッシブエントリ、プッシュスタート、イモビライザ等の機能の実行が制御される。
【０２２２】
無線通信部５０２は、通信制御部５１１の制御の下に、アンテナ４２２、アンテナ４２３及びアンテナ４２４を介して、携帯機４１３と所定の方式の無線通信を行う。上述したように、無線通信部５０２から携帯機４１３への方向の通信には、アンテナ４２２を介したLF帯の無線通信、又は、アンテナ４２４を介したUHF帯の900MHz帯の無線通信が用いられる。また、携帯機４１３から無線通信部５０２への方向の通信には、アンテナ４２３を介したUHF帯の315MHz帯の無線通信、又は、アンテナ４２４を介したUHF帯の900MHz帯の無線通信が用いられる。
【０２２３】
記憶部５０３は、例えば、制御部５０１の処理に必要な情報や制御部５０１が処理を実行するための制御プログラム等を記憶する。また、例えば、記憶部５０３は、携帯機４１３や携帯端末４１４との間の認証処理に用いる認証情報等を記憶する。
【０２２４】
充電パッド４２５は、NFC通信部５５１、充電部５５２及び機器検出部５５３を含むように構成される。
【０２２５】
NFC通信部５５１は、通信制御部５１１の制御の下に、携帯端末４１４等の他の機器とNFC通信を行う。
【０２２６】
充電部５５２は、充電制御部５１２の制御の下に、携帯端末４１４等の他の機器に非接触で充電電力を供給する。
【０２２７】
機器検出部５５３は、図２の充電パッド１２２の機器検出部２５３と同様の方法により、携帯端末４１４等の他の機器の充電パッド４２５への設置の有無を検出し、検出結果をECU４２１の制御部５０１に通知する。
【０２２８】
［携帯機４１３の構成例］
図１２は、携帯機４１３の機能の構成例を示している。なお、図中、図３の携帯機１１２と対応する部分には、下２桁が同じ符号を付してあり、処理が同じ部分については、その説明は繰り返しになるので適宜省略する。
【０２２９】
携帯機４１３は、携帯機１１２と比較して、携帯機１１２の制御部３０２の空間制御部３１２の代わりに、制御部６０２の車両制御部６１２が設けられている点以外は、携帯機１１２と同様の構成を有している。
【０２３０】
車両制御部６１２は、通信制御部６１１及び無線通信部６０５を介して、或いは、通信制御部６１１、BLE通信部６０６、携帯端末４１４及び充電パッド４２５を介して、例えば、キーレスエントリ、パッシブエントリ、プッシュスタート等の機能の実行に必要な情報等を含む信号の送受信をECU４２１との間で行う。
【０２３１】
［携帯端末４１４の構成例］
図１３は、携帯端末４１４の機能の構成例を示している。なお、図中、図４の携帯端末１１３と対応する部分には、下２桁が同じ符号を付してあり、処理が同じ部分については、その説明は繰り返しになるので適宜省略する。
【０２３２】
携帯端末４１４は、携帯端末１１３と比較して、携帯端末１１３の制御部３５２の空間制御部３６２の代わりに、制御部６５２の車両制御部６６２が設けられている点以外は、携帯端末１１３と同様の構成を有している。
【０２３３】
車両制御部６６２は、通信制御部６６１、BLE通信部６５５及び携帯機４１３を介して、或いは、通信制御部６６１、NFC通信部６５６及び充電パッド４２５を介して、例えば、キーレスエントリ等の機能の実行に必要な情報等を含む信号の送受信をECU４２１との間で行う。
【０２３４】
［車両制御システム４０１の処理］
次に、図１４乃至図１８を参照して、車両制御システム４０１の処理について説明する。
【０２３５】
（携帯端末４１４による置き忘れ検出処理の第１の実施の形態）
まず、図１４のフローチャートを参照して、携帯端末４１４により携帯端末４１４の充電パッド４２５への置き忘れを検出する場合の処理の第１の実施の形態について説明する。この処理は、例えば、携帯端末４１４が充電パッド４２５の充電可能な範囲内に置かれ、携帯端末４１４の状態検出部６６３が、携帯端末４１４が充電パッド４２５に設置されたことを検出したとき開始される。
【０２３６】
ステップＳ２０１において、図５のステップＳ１と同様の処理により、携帯端末４１４が充電パッド４２５から外れたか否かが判定される。携帯端末４１４が充電パッド４２５から外れていないと判定された場合、処理はステップＳ２０２に進む。
【０２３７】
ステップＳ２０２において、図５のステップＳ２と同様の処理により、携帯機４１３の位置検出が行われる。そして、携帯端末４１４が現在設置されている充電パッド４２５の位置を基準にして、携帯機４１３が存在する範囲が検出される。
【０２３８】
ステップＳ２０３において、位置検出部６６４は、ステップＳ２０２の処理の結果に基づいて、携帯機４１３が所定の範囲内に存在するか否かを判定する。携帯機４１３が所定の範囲内に存在すると判定された場合、処理はステップＳ２０１に戻る。
【０２３９】
その後、ステップＳ２０１において、携帯端末４１４が充電パッド４２５から外れたと判定されるか、ステップＳ２０３において、携帯機４１３が所定の範囲内に存在しないと判定されるまで、ステップＳ２０１乃至Ｓ２０３の処理が繰り返し実行される。
【０２４０】
一方、ステップＳ２０３において、携帯機４１３が所定の範囲内に存在しないと判定された場合、処理はステップＳ４に進む。例えば、この所定の範囲が車両４０２の室内とほぼ同じ範囲に設定されている場合、これは、携帯端末４１４が車両４０２内の充電パッド４２５に設置された状態で、携帯機４１３が車両４０２の外に出た状況であると想定される。より具体的には、例えば、携帯機４１３を所持するユーザが、携帯端末４１４を充電したまま充電パッド４２５に置き忘れて、車両４０２の外に出てしまった状況が想定される。
【０２４１】
なお、この所定の範囲は、車両４０２の室内を含んでいれば、必ずしも車両４０２の室内と一致している必要はない。すなわち、この所定の範囲は、車両４０２の室内と一致する範囲でも、或いは、車両４０２の周辺も含む車両４０２の室内より広い範囲でもよい。また、車両４０２の室内であっても、携帯機４１３が存在する可能性が低い場所を、当該所定の範囲から除外することも可能である。
【０２４２】
ステップＳ２０４において、図５のステップＳ４と同様の処理により、携帯機４１３への通知が行われ、置き忘れ検出処理は終了する。
【０２４３】
一方、ステップＳ２０１において、携帯端末４１４が充電パッド４２５から外れたと判定された場合、置き忘れ検出処理は終了する。
【０２４４】
これにより、携帯機４１３を所持するユーザは、携帯端末４１４を充電パッド４２５に置き忘れたことを迅速に知ることができ、車両４０２に取りに戻る等の対応を速やかに行うことができる。
【０２４５】
（携帯端末４１４による置き忘れ検出処理の第２の実施の形態）
次に、図１５のフローチャートを参照して、携帯端末４１４により携帯端末４１４の充電パッド４２５への置き忘れを検出する場合の処理の第２の実施の形態について説明する。この処理は、例えば、携帯端末４１４が充電パッド４２５の充電可能な範囲内に置かれ、携帯端末４１４の状態検出部６６３が、携帯端末４１４が充電パッド４２５に設置されたことを検出したとき開始される。
【０２４６】
なお、この第２の実施の形態では、第１の実施の形態と比較して、携帯端末４１４が携帯機４１３の位置検出を行うタイミングが異なる。
【０２４７】
具体的には、ステップＳ２３１において、図５のステップＳ１の処理と同様に、携帯端末４１４が充電パッド４２５から外れたか否かが判定される。携帯端末４１４が充電パッド４２５から外れたと判定された場合、処理はステップＳ２３２に進む。
【０２４８】
ステップＳ２３２において、位置検出部６６４は、ECU４２１からの情報に基づいて、携帯機４１３が車外に出る又は出た可能性があるか否かを判定する。具体的には、ECU４２１の車両制御部５１４は、車両４０２に設けられている他のECUや車載機器等から、携帯機４１３が車外に出る又は出た可能性があるイベントの発生を示す情報を取得した場合、そのイベントの発生を示す信号（以下、イベント通知信号と称する）を、充電パッド４２５のNFC通信部５５１を介して携帯端末４１４に送信する。
【０２４９】
なお、携帯機４１３が車外に出る又は出た可能性があるイベントとしては、例えば、車両４０２のドアの開閉、車両４０２のドアの施錠又は開錠、車両４０２の窓の開閉、車両４０２のエンジン（エンジン車又はハイブリッドカー等の場合）又はモータ（電気自動車等の場合）の停止、携帯機４１３からドアの施錠の指令を受信したとき等が想定される。
【０２５０】
そして、携帯端末４１４の位置検出部６６４は、そのイベント通知信号を受信していない場合、携帯機４１３が車外に出る又は出た可能性がないと判定し、処理はステップＳ２３１に戻る。
【０２５１】
その後、ステップＳ２３１において、携帯端末４１４が充電パッド４２５から外れたと判定されるか、ステップＳ２３２において、携帯機４１３が車外に出る又は出た可能性があると判定されるまで、ステップＳ２３１及びＳ２３２の処理が繰り返し実行される。
【０２５２】
一方、ステップＳ２３２において、位置検出部６６４は、NFC通信部６５６及び通信制御部６６１を介して、充電パッド４２５からイベント通知信号を受信した場合、携帯機４１３が車外に出る又は出た可能性があると判定し、処理はステップＳ２３３に進む。
【０２５３】
ステップＳ２３３において、図５のステップＳ２の処理と同様に、携帯機４１３の位置検出が行われる。なお、通知されるイベントの種類によっては、携帯機４１３（を持つユーザ）が車両４０２から出る前又は出ようとしている最中である場合も想定されるため、位置検出を所定の時間継続して行うようにしてもよい。例えば、車両４０２のエンジン又はモータが停止した後、携帯機４１３を持つユーザである運転者が車両４０２から出るまでには、しばらく時間を要するため、位置検出を所定の時間継続して行うようにすることが考えられる。
【０２５４】
ステップＳ２３４において、図５のステップＳ３の処理と同様に、携帯機４１３が所定の範囲内に存在するか否かが判定される。携帯機が所定の範囲内に存在すると判定された場合、処理はステップＳ２３１に戻る。
【０２５５】
その後、ステップＳ２３１において、携帯端末４１４が充電パッド４２５から外れたと判定されるか、ステップＳ２３４において、携帯機４１３が所定の範囲内に存在しないと判定されるまで、ステップＳ２３１乃至Ｓ２３４の処理が繰り返し実行される。
【０２５６】
一方、ステップＳ２３４において、携帯機４１３が所定の範囲内に存在しないと判定された場合、処理はステップＳ２３５に進む。
【０２５７】
ステップＳ２３５において、図５のステップＳ４の処理と同様に、携帯機４１３への通知が行われ、置き忘れ検出処理は終了する。
【０２５８】
一方、ステップＳ２３１において、携帯端末４１４が充電パッド４２５から外れたと判定された場合、置き忘れ検出処理は終了する。
【０２５９】
このように、この第２の実施の形態では、携帯機４１３の位置検出を行うタイミングを、携帯機４１３が車外に出る又は出た可能性があるタイミングに限定することができ、携帯端末４１４の消費電力を低減させることができる。
【０２６０】
（携帯端末４１４による置き忘れ検出処理の第３の実施の形態）
次に、図１６のフローチャートを参照して、携帯端末４１４により携帯端末４１４の充電パッド４２５への置き忘れを検出する場合の処理の第３の実施の形態について説明する。この処理は、例えば、携帯端末４１４が充電パッド４２５の充電可能な範囲内に置かれ、携帯端末４１４の状態検出部６６３が、携帯端末４１４が充電パッド４２５に設置されたことを検出したとき開始される。
【０２６１】
なお、この第３の実施の形態では、第１及び第２の実施の形態と比較して、携帯端末４１４が、携帯機４１３の位置検出を行わずに、ECU４２１による携帯機４１３の位置検出の結果を利用する点が異なる。
【０２６２】
ステップＳ２６１において、図５のステップＳ１と同様の処理により、携帯端末４１４が充電パッド４２５から外れたか否かが判定される。携帯端末４１４が充電パッド４２５から外れていないと判定された場合、処理はステップＳ２６２に進む。
【０２６３】
ステップＳ２６２において、通信制御部６６１は、携帯機４１３の位置検出の結果が通知されたか否かを判定する。具体的には、ECU４２１の位置検出部５１３は、所定のタイミングで、例えば、図１０を参照して上述した方法により携帯機４１３の位置検出を行う。ここで、所定のタイミングとは、例えば、上述した携帯機４１３が車外に出る又は出た可能性があるイベントが発生したタイミングである。或いは、位置検出部５１３が、定期的に携帯機４１３の位置検出を行うようにしてもよい。
【０２６４】
そして、ECU４２１の通信制御部５１１は、位置検出部５１３により位置検出が行われた場合、検出結果を示す信号（以下、位置検出信号と称する）を、充電パッド４２５のNFC通信部５５１を介して、携帯端末４１４に送信する。
【０２６５】
携帯端末４１４の通信制御部６６１は、その位置検出信号を受信していない場合、携帯機４１３の位置検出の結果が通知されていないと判定し、処理はステップＳ２６１に戻る。
【０２６６】
その後、ステップＳ２６１において、携帯端末４１４が充電パッド４２５から外れたと判定されるか、ステップＳ２６２において、携帯機４１３の位置検出の結果が通知されたと判定されるまで、ステップＳ２６１及びＳ２６２の処理が繰り返し実行される。
【０２６７】
一方、ステップＳ２６２において、通信制御部６６１は、充電パッド４２５から位置検出信号を受信した場合、携帯機４１３の位置検出の結果が通知されたと判定し、処理はステップＳ２６３に進む。
【０２６８】
ステップＳ２６３において、図５のステップＳ３と同様の処理により、携帯機４１３が所定の範囲内に存在するか否かが判定される。携帯機４１３が所定の範囲内に存在すると判定された場合、処理はステップＳ２６１に戻る。
【０２６９】
その後、ステップＳ２６１において、携帯端末４１４が充電パッド４２５から外れたと判定されるか、ステップＳ２６３において、携帯機４１３が所定の範囲内に存在しないと判定されるまで、ステップＳ２６１乃至Ｓ２６３の処理が繰り返し実行される。
【０２７０】
一方、ステップＳ２６３において、携帯機４１３が所定の範囲内に存在しないと判定された場合、処理はステップＳ２６４に進む。
【０２７１】
ステップＳ２６４において、図５のステップＳ４と同様の処理により、携帯機４１３への通知が行われ、置き忘れ検出処理は終了する。
【０２７２】
一方、ステップＳ２６１において、携帯端末４１４が充電パッド４２５から外れたと判定された場合、置き忘れ検出処理は終了する。
【０２７３】
これにより、例えば、携帯端末４１４が、携帯機４１３の位置検出機能を有していない場合でも、携帯端末４１４の置き忘れを検出し、携帯機４１３に通知することが可能になる。
【０２７４】
（車載システム４１１による置き忘れ検出処理の第１の実施の形態）
次に、図１７のフローチャートを参照して、車載システム４１１により携帯端末４１４の充電パッド４２５への置き忘れを検出する場合の処理の第１の実施の形態について説明する。この処理は、例えば、携帯端末４１４が充電パッド４２５の充電可能な範囲内に置かれ、充電パッド４２５の機器検出部５５３が、携帯端末４１４が充電パッド４２５に設置されたことを検出し、検出結果をECU４２１の制御部５０１に通知したとき開始される。
【０２７５】
ステップＳ３０１において、図８のステップＳ１０１と同様の処理により、携帯端末４１４が充電パッド４２５から外れたか否かが判定される。携帯端末４１４が充電パッド４２５から外れていないと判定された場合、処理はステップＳ３０２に進む。
【０２７６】
ステップＳ３０２において、ECU４２１の位置検出部５１３は、例えば、図１０を参照して上述した方法により、携帯機４１３の位置検出を行う。
【０２７７】
ステップＳ３０３において、位置検出部５１３は、ステップＳ３０２の処理の結果に基づいて、携帯機４１３が所定の範囲内に存在するか否かを判定する。携帯機４１３が所定の範囲内に存在すると判定された場合、処理はステップＳ３０１に戻る。
【０２７８】
なお、この所定の範囲は、例えば、図１４のステップＳ２０３の処理における所定の範囲と同様の範囲に設定される。ただし、必ずしもステップＳ２０３の処理における所定の範囲と完全に一致する必要はない。
【０２７９】
その後、ステップＳ３０１において、携帯端末４１４が充電パッド４２５から外れたと判定されるか、ステップＳ３０３において、携帯機４１３が所定の範囲内に存在しないと判定されるまで、ステップＳ３０１乃至Ｓ３０３の処理が繰り返し実行される。
【０２８０】
一方、ステップＳ３０３において、携帯機４１３が所定の範囲内に存在しないと判定された場合、処理はステップＳ３０４に進む。
【０２８１】
ステップＳ３０４において、図８のステップＳ１０１と同様の処理により、携帯機４１３への通知が行われ、置き忘れ検出処理は終了する。なお、このとき、例えば、UHF帯の900MHz帯の無線通信を用いることにより、携帯機４１３の置き忘れを通知できる範囲を広げることができる。
【０２８２】
一方、ステップＳ３０１において、携帯端末４１４が充電パッド４２５から外れたと判定された場合、置き忘れ検出処理は終了する。
【０２８３】
このように、ECU４２１から携帯機４１３に携帯端末４１４の置き忘れを通知することにより、携帯端末４１４から通知する場合と比較して、通知可能な範囲を広げることができる。また、携帯端末４１４の消費電力を低減することができる。
【０２８４】
（車載システム４１１による置き忘れ検出処理の第２の実施の形態）
次に、図１８のフローチャートを参照して、車載システム４１１により携帯端末４１４の充電パッド４２５への置き忘れを検出する場合の処理の第２の実施の形態について説明する。この処理は、例えば、携帯端末４１４が充電パッド４２５の充電可能な範囲内に置かれ、充電パッド４２５の機器検出部５５３が、携帯端末４１４が充電パッド４２５に設置されたことを検出し、検出結果をECU４２１の制御部５０１に通知したとき開始される。
【０２８５】
なお、この第２の実施の形態では、第１の実施の形態と比較して、ECU４２１が携帯機４１３の位置検出を行うタイミングが異なる。
【０２８６】
ステップＳ３３１において、図８のステップＳ１０１と同様の処理により、携帯端末４１４が充電パッド４２５から外れたか否かが判定される。携帯端末４１４が充電パッド４２５から外れていないと判定された場合、処理はステップＳ３３２に進む。
【０２８７】
ステップＳ３３２において、車両制御部５１４は、携帯機４１３が車外に出る又は出た可能性があるか否かを判定する。車両制御部５１４は、車両４０２に設けられている他のECUや車載機器等から、携帯機４１３が車外に出る又は出た可能性があるイベントの発生を示す情報を取得していない場合、携帯機４１３が車外に出る又は出た可能性がないと判定し、処理はステップＳ３３１に戻る。なお、携帯機４１３が車外に出る又は出た可能性があるイベントの例は、図１５のステップＳ２３２の処理の説明で上述したとおりである。
【０２８８】
その後、ステップＳ３３１において、携帯端末４１４が充電パッド４２５から外れたと判定されるか、ステップＳ３３２において、携帯機４１３が車外に出る又は出た可能性があると判定されるまで、ステップＳ３３１及びＳ３３２の処理が繰り返し実行される。
【０２８９】
一方、ステップＳ３３２において、車両制御部５１４は、車両４０２に設けられている他のECUや車載機器等から、携帯機４１３が車外に出る又は出た可能性があるイベントの発生を示す情報を取得した場合、携帯機４１３が車外に出る又は出た可能性があると判定し、処理はステップＳ３３３に進む。
【０２９０】
ステップＳ３３３において、図１７のステップＳ３０２の処理と同様に、携帯機４１３の位置検出が行われる。
【０２９１】
ステップＳ３３４において、図１７のステップＳ３０３の処理と同様に、携帯機４１３が所定の範囲内に存在するか否かが判定される。携帯機４１３が所定の範囲内に存在すると判定された場合、処理はステップＳ３３１に戻る。
【０２９２】
その後、ステップＳ３３１において、携帯端末４１４が充電パッド４２５から外れたと判定されるか、ステップＳ３３４において、携帯機４１３が所定の範囲内に存在しないと判定されるまで、ステップＳ３３１乃至Ｓ３３４の処理が繰り返し実行される。
【０２９３】
一方、ステップＳ３３４において、携帯機４１３が所定の範囲内に存在しないと判定された場合、処理はステップＳ３３５に進む。
【０２９４】
ステップＳ３３５において、図８のステップＳ１０１と同様の処理により、携帯機４１３への通知が行われ、置き忘れ検出処理は終了する。
【０２９５】
一方、ステップＳ３３１において、携帯端末４１４が充電パッド４２５から外れたと判定された場合、置き忘れ検出処理は終了する。
【０２９６】
このように、この第２の実施の形態では、携帯機４１３の位置検出を携帯機４１３が車両４０２の外に出る又は出た可能性があるタイミングに限定することができ、ECU４２１の消費電力を低減させることができる。
【０２９７】
＜３．変形例＞
以下、上述した本発明の実施の形態の変形例について説明する。
【０２９８】
［変形例１：置き忘れ検出処理に関する変形例］
例えば、図５乃至図７のいずれかの携帯端末１１３による置き忘れ検出処理と、図８又は図９の情報処理部１１１による置き忘れ検出処理を並行して実行するようにしてもよい。すなわち、携帯端末１１３と情報処理部１１１（制御装置１２１）の両方で、携帯端末１１３の置き忘れを検出し、携帯機１１２に通知するようにしてもよい。
【０２９９】
同様に、例えば、図１４乃至図１６のいずれかの携帯端末４１４による置き忘れ検出処理と、図１７又は図１８の車載システム４１１による置き忘れ検出処理を並行して実行するようにしてもよい。すなわち、携帯端末４１４と車載システム４１１（ECU４２１）の両方で、携帯端末４１４の置き忘れを検出し、携帯機４１３に通知するようにしてもよい。
【０３００】
また、例えば、携帯端末１１３の置き忘れ検出及び通知が必要ない場合を想定して、ユーザが携帯端末１１３を操作することにより、携帯端末１１３の置き忘れ検出機能（例えば、置き忘れ通知信号Ａの送信機能等）のオン（開始）又はオフ（停止）を設定できるようにしてもよい。これは、第２の実施の形態の携帯端末４１４についても同様である。
【０３０１】
同様に、例えば、ユーザが制御装置１２１の置き忘れ検出機能（例えば、置き忘れ通知信号Ｂの送信機能等）のオン（開始）又はオフ（停止）を設定できるようにしてもよい。この場合、例えば、ユーザが、携帯機１１２を用いて携帯機１１２から制御装置１２１に指令を送信することにより、遠隔操作により当該設定を行えるようにしてもよい。また、例えば、ユーザが携帯端末１１３の充電中に、携帯端末１１３を用いて、携帯端末１１３から充電パッド１２２を介して制御装置１２１に指令を送信することにより、遠隔操作により当該設定を行えるようにしてもよい。これは、第２の実施の形態のECU４２１についても同様である。
【０３０２】
［変形例２：充電制御に関する変形例］
例えば、第２の実施の形態において、車両４０２の状態に基づいて、充電パッド４２５による携帯端末４１４の充電の可不可を制御するようにしてもよい。具体的には、例えば、車両４０２のエンジン又はモータの起動中にのみ、携帯端末４１４の充電を行うようにしてもよい。また、例えば、車両４０２の電源の状態（例えば、アクセサリ電源やイグニッション電源のオン又はオフの状態）に基づいて、携帯端末４１４の充電の可不可を制御するようにしてもよい。さらに、車両４０２のバッテリ（不図示）の残量が所定の閾値以上の場合のみ携帯端末４１４の充電を行うようにしてもよい。
【０３０３】
［変形例３：充電パッドに関する変形例］
第１の実施の形態の充電パッド１２２及び第２の実施の形態の充電パッド４２５は、電力源を内蔵し直接充電電力を供給するようにしてもよいし、外部電源からの電力の供給を制御するようにしてもよい。
【０３０４】
また、例えば、第１の実施の形態の充電パッド１２２について、第２の実施の形態の充電パッド４２５と同様に、制御装置１２１の制御部２０１の制御の下に動作するようにしてもよい。
【０３０５】
逆に、例えば、第２の実施の形態の充電パッド４２５について、CPU等のプロセッサを設け、第１の実施の形態の充電パッド１２２と同様に、ECU４２１の制御によらずに、自律的に動作するようにしてもよい。この場合、例えば、充電パッド４２５とECU４２１の間の通信には、CAN（Controller Area Network）等の車内のネットワーク通信を採用することができる。
【０３０６】
さらに、例えば、図２の充電パッド１２２の機器検出部２５３と同様の機能を制御装置１２１に設けるようにしてもよい。この場合、充電パッド１２２の機器検出部２５３を省略するようにしてもよい。
【０３０７】
同様に、例えば、図１１の充電パッド４２５の機器検出部５５３と同様の機能をECU４２１に設けるようにしてもよい。この場合、充電パッド４２５の機器検出部５５３を省略するようにしてもよい。
【０３０８】
また、例えば、非接触式の充電パッド１２２又は充電パッド４２５の代わりに、接触式の充電器を用いることも可能である。この場合、例えば、充電器の通信方式として、近接無線通信の代わりに、有線による通信方式を採用することも可能である。
【０３０９】
［変形例４：通信方式に関する変形例］
以上の説明で示した各装置間の通信方式の例は、その一例であり、通信方式の種類や数は、上述した例に限定されるものではない。
【０３１０】
例えば、携帯機１１２と携帯端末１１３の間、又は、携帯機４１３と携帯端末４１４の間の通信方式に、Bluetooth（登録商標）等の他の方式の近距離無線通信を採用したり、近距離無線通信より通信距離の長い通信方式を採用したりすることが可能である。
【０３１１】
また、例えば、携帯端末１１３と充電パッド１２２の間、又は、携帯端末４１４と充電パッド４２５の間の通信方式に、NFC以外の方式の近接無線通信を採用することも可能である。さらに、例えば、必要に応じて、携帯端末１１３と充電パッド１２２の間、又は、携帯端末４１４と充電パッド４２５の間の通信機能を省略することも可能である。
【０３１２】
［変形例５：その他の変形例］
制御装置１２１による携帯機１１２と制御装置１２１との間の通信状態に基づく携帯機１１２の位置検出の方法は、上述した方法に限定されるものではなく、他の方法を採用することができる。同様に、第２の実施の形態のECU４２１による携帯機４１３とECU４２１との間の通信状態に基づく携帯機４１３の位置検出の方法は、上述した方法に限定されるものではなく、他の方法を採用することができる。
【０３１３】
また、例えば、制御装置１２１が、携帯端末１１３の充電中に、携帯機１１２と携帯端末１１３との間の通信状態（例えば、携帯端末１１３の受信強度等）に基づいて、携帯機１１２の位置検出を行うようにしてもよい。同様に、例えば、ECU４２１が、携帯端末４１４の充電中に、携帯機４１３と携帯端末４１４との間の通信状態（例えば、携帯端末４１４の受信強度等）に基づいて、携帯機４１３の位置検出を行うようにしてもよい。
【０３１４】
さらに、本発明を適用する車両の種類は、携帯端末４１４を充電可能な充電装置を設置できるものであれば、特に限定されるものではない。
【０３１５】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０３１６】
また、コンピュータが実行するプログラムは、例えば、パッケージメディア等としてのリムーバブルメディアに記録して提供することができる。また、プログラムは、ローカルエリアネットワーク、CAN、インターネット、デジタル衛星放送といった、有線又は無線の伝送媒体を介して提供することができる。
【０３１７】
その他、プログラムは、例えば、ROMや記憶部に、あらかじめインストールしておくことができる。
【０３１８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３１９】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３２０】
さらに、本発明の実施の形態は、上述した実施の形態に限定されるものではなく、本発明の要旨を逸脱しない範囲において種々の変更が可能である。
【０３２１】
また、上述のフローチャートで説明した各ステップは、１つの装置で実行する他、複数の装置で分担して実行することができる。
【０３２２】
さらに、１つのステップに複数の処理が含まれる場合には、その１つのステップに含まれる複数の処理は、１つの装置で実行する他、複数の装置で分担して実行することができる。
【符号の説明】
【０３２３】
１０１  情報処理システム
１０２  空間
１０３  出入口
１１１  情報処理部
１１２  携帯機
１１３  携帯端末
１２１  制御装置
１２２  充電パッド
２０１  制御部
２０２  無線通信部
２０３  アンテナ
２１１  通信制御部
２１２  位置検出部
２１３  空間制御部
２５１  NFC通信部
２５２  充電部
２５３  機器検出部
３０１  操作部
３０２  制御部
３０４  表示部
３０５  無線通信部
３０６  BLE通信部
３１１  通信制御部
３１２  空間制御部
３１３  表示制御部
３５２  制御部
３５５  BLE通信部
３５６  NFC通信部
３５７  充電制御部
３５８  バッテリ
３６１  通信制御部
３６２  空間制御部
３６３  状態検出部
３６４  位置検出部
【図１】
2014174739.tif 000003
【図２】
2014174739.tif 000004
【図３】
2014174739.tif 000005
【図４】
2014174739.tif 000006
【図５】
2014174739.tif 000007
【図６】
2014174739.tif 000008
【図７】
2014174739.tif 000009
【図８】
2014174739.tif 000010
【図９】
2014174739.tif 000011
【図１０】
2014174739.tif 000012
【図１１】
2014174739.tif 000013
【図１２】
2014174739.tif 000014
【図１３】
2014174739.tif 000015
【図１４】
2014174739.tif 000016
【図１５】
2014174739.tif 000017
【図１６】
2014174739.tif 000018
【図１７】
2014174739.tif 000019
【図１８】
2014174739.tif 000020